(57)【特許請求の範囲】
【請求項１】
ワイヤレスデバイスにより実行される方法であって、
第１のダウンリンク共有チャネル送信をスケジューリングする第１のダウンリンク制御チャネルメッセージを受信することと、
第２のダウンリンク共有チャネル送信をスケジューリングする第２のダウンリンク制御チャネルメッセージを受信することと、
アップリンク制御チャネル上でネットワークノードへアップリンク制御情報を送信するために使用すべきアップリンク制御チャネルリソースを決定することであって、
前記アップリンク制御情報は、前記第１のダウンリンク共有チャネル送信及び前記第２のダウンリンク共有チャネル送信の双方についてのハイブリッド自動再送要求（ＨＡＲＱ）フィードバックを含み、
前記アップリンク制御情報を送信するために使用すべき前記アップリンク制御チャネルリソースを決定することは、（ａ）前記ネットワークノードから受信されるシグナリング、及び、（ｂ）前記第１のダウンリンク制御チャネルメッセージ及び前記第２のダウンリンク制御チャネルメッセージのうちの直近の受信分、に基づいて前記アップリンク制御チャネルリソースを決定すること、を含む、
前記決定することと、
決定される前記アップリンク制御チャネルリソースを用いて前記アップリンク制御情報を送信することと、
を含み、
前記ネットワークノードから受信される前記シグナリングは、各々２つ以上のアップリンク制御チャネルリソースを含む２つ以上のアップリンク制御チャネルリソースセットの準静的な構成を提供する情報を含み、
（ａ）及び（ｂ）に基づいて前記アップリンク制御チャネルリソースを決定することは、
前記２つ以上のアップリンク制御チャネルリソースセットのうちの１つを選択することと、
前記ネットワークノードへ前記アップリンク制御情報を送信するために使用すべき前記アップリンク制御チャネルリソースとして、前記直近の受信分であるダウンリンク制御チャネルメッセージに基づいて、選択された前記アップリンク制御チャネルリソースセットからの前記２つ以上のアップリンク制御チャネルリソースのうちの１つを選択することと、
を含む、方法。
【請求項２】
請求項１の方法であって、
前記アップリンク制御チャネルは、物理アップリンク制御チャネルである、
方法。
【請求項３】
請求項１の方法であって、
前記第１のダウンリンク制御チャネルメッセージ及び前記第２のダウンリンク制御チャネルメッセージの各々は、選択された前記アップリンク制御チャネルリソースセットからの前記２つ以上のアップリンク制御チャネルリソースのうちの１つの選択に使用するためのビットを含み、
前記２つ以上のアップリンク制御チャネルリソースのうちの前記１つを選択することは、前記第１のダウンリンク制御チャネルメッセージ及び前記第２のダウンリンク制御チャネルメッセージのうちの前記直近の受信分に含まれる前記ビットに基づいて選択を行うこと、を含む、方法。
【請求項４】
請求項１の方法であって、使用すべき前記アップリンク制御チャネルリソースを決定することは、前記ワイヤレスデバイスが前記第１及び第２のダウンリンク共有チャネル送信をスケジューリングする前記第１及び第２のダウンリンク制御チャネルメッセージを受信する時と前記ワイヤレスデバイスが前記アップリンク制御情報を送信する時との間のタイミングが可変である場合に、使用すべき前記アップリンク制御チャネルリソースを決定すること、を含む、方法。
【請求項５】
請求項１の方法であって、使用すべき前記アップリンク制御チャネルリソースを決定することは、同じスロット内の複数の制御領域のうちの任意の１つにおいて、前記ワイヤレスデバイスが前記第１及び第２のダウンリンク共有チャネル送信をスケジューリングする前記第１及び第２のダウンリンク制御チャネルメッセージを受信できる場合に、使用すべき前記アップリンク制御チャネルリソースを決定すること、を含む、方法。
【請求項６】
ワイヤレスデバイスであって、
処理回路による通信のためのインタフェースと、
前記処理回路と、を備え、前記処理回路は、前記ワイヤレスデバイスに、
第１のダウンリンク共有チャネル送信をスケジューリングする第１のダウンリンク制御チャネルメッセージを受信することと、
第２のダウンリンク共有チャネル送信をスケジューリングする第２のダウンリンク制御チャネルメッセージを受信することと、
アップリンク制御チャネル上でネットワークノードへアップリンク制御情報を送信するために使用すべきアップリンク制御チャネルリソースを決定することであって、
前記アップリンク制御情報は、前記第１のダウンリンク共有チャネル送信及び前記第２のダウンリンク共有チャネル送信の双方についてのハイブリッド自動再送要求（ＨＡＲＱ）フィードバックを含み、
前記アップリンク制御情報を送信するために使用すべき前記アップリンク制御チャネルリソースを決定することは、（ａ）前記ネットワークノードから受信されるシグナリング、及び、（ｂ）前記第１のダウンリンク制御チャネルメッセージ及び前記第２のダウンリンク制御チャネルメッセージのうちの直近の受信分、に基づいて前記アップリンク制御チャネルリソースを決定すること、を含む、
前記決定することと、
決定される前記アップリンク制御チャネルリソースを用いて前記アップリンク制御情報を送信することと、
を行わせるように構成され、
前記ネットワークノードから受信される前記シグナリングは、各々２つ以上のアップリンク制御チャネルリソースを含む２つ以上のアップリンク制御チャネルリソースセットの準静的な構成を提供する情報を含み、
（ａ）及び（ｂ）に基づいて前記アップリンク制御チャネルリソースを決定することは、
前記２つ以上のアップリンク制御チャネルリソースセットのうちの１つを選択することと、
前記ネットワークノードへ前記アップリンク制御情報を送信するために使用すべき前記アップリンク制御チャネルリソースとして、前記直近の受信分であるダウンリンク制御チャネルメッセージに基づいて、選択された前記アップリンク制御チャネルリソースセットからの前記２つ以上のアップリンク制御チャネルリソースのうちの１つを選択することと、
を含む、
ワイヤレスデバイス。
【請求項７】
請求項６のワイヤレスデバイスであって、
前記アップリンク制御チャネルは、物理アップリンク制御チャネルである、
ワイヤレスデバイス。
【請求項８】
請求項６のワイヤレスデバイスであって、
前記第１のダウンリンク制御チャネルメッセージ及び前記第２のダウンリンク制御チャネルメッセージの各々は、選択された前記アップリンク制御チャネルリソースセットからの前記２つ以上のアップリンク制御チャネルリソースのうちの１つの選択に使用するためのビットを含み、
前記直近の受信分であるダウンリンク制御チャネルメッセージに基づいて、選択された前記アップリンク制御チャネルリソースセットからの前記２つ以上のアップリンク制御チャネルリソースのうちの１つを選択することは、前記ネットワークノードへ前記アップリンク制御情報を送信するために使用すべき前記アップリンク制御チャネルリソースとして、前記第１のダウンリンク制御チャネルメッセージ及び前記第２のダウンリンク制御チャネルメッセージのうちの前記直近の受信分に含まれる、選択された前記アップリンク制御チャネルリソースセットからの前記２つ以上のアップリンク制御チャネルリソースのうちの１つの選択に使用するための前記ビットに基づいて、選択された前記アップリンク制御チャネルリソースセットからの前記２つ以上のアップリンク制御チャネルリソースのうちの前記１つを選択すること、を含む、
ワイヤレスデバイス。
【請求項９】
請求項６のワイヤレスデバイスであって、使用すべき前記アップリンク制御チャネルリソースを決定することは、前記ワイヤレスデバイスが前記第１及び第２のダウンリンク共有チャネル送信をスケジューリングする前記第１及び第２のダウンリンク制御チャネルメッセージを受信する時と前記ワイヤレスデバイスが前記アップリンク制御情報を送信する時との間のタイミングが可変である場合に、使用すべき前記アップリンク制御チャネルリソースを決定すること、を含む、ワイヤレスデバイス。
【請求項１０】
請求項６のワイヤレスデバイスであって、使用すべき前記アップリンク制御チャネルリソースを決定することは、同じスロット内の複数の制御領域のうちの任意の１つにおいて、前記ワイヤレスデバイスが前記第１及び第２のダウンリンク共有チャネル送信をスケジューリングする前記第１及び第２のダウンリンク制御チャネルメッセージを受信できる場合に、使用すべき前記アップリンク制御チャネルリソースを決定すること、を含む、ワイヤレスデバイス。
【請求項１１】
ワイヤレスデバイスであって、
処理回路による通信のためのインタフェースと、
前記処理回路と、を備え、前記処理回路は、前記ワイヤレスデバイスに、
前記ワイヤレスデバイスへのダウンリンク共有チャネル送信をスケジューリングするダウンリンク制御チャネルを受信することと、
ネットワークノードから、各々２つ以上のアップリンク制御チャネルリソースを含む２つ以上のアップリンク制御チャネルリソースセットの準静的な構成を提供する情報を含むシグナリングを受信することと、
前記ネットワークノードへアップリンク制御情報を送信するために使用すべきアップリンク制御チャネルリソースを決定することであって、前記アップリンク制御情報は、前記ダウンリンク共有チャネル送信についてのハイブリッド自動再送要求（ＨＡＲＱ）フィードバックを含み、前記アップリンク制御チャネルリソースを決定することは、
前記アップリンク制御情報のペイロードサイズ、
前記ダウンリンク制御チャネルが受信されたダウンリンク制御チャネル候補の開始制御チャネルエレメントインデックス、及び、
前記ダウンリンク制御チャネルに含まれるダウンリンク制御チャネルメッセージ、
に基づいて、２つ以上のアップリンク制御チャネルリソースセット内のアップリンク制御チャネルリソースから前記アップリンク制御チャネルリソースを選択すること、を含む、前記決定することと、
決定される前記アップリンク制御チャネルリソースを用いて前記アップリンク制御情報を送信することと、
を行わせるように構成され、
前記２つ以上のアップリンク制御チャネルリソースセット内の前記２つ以上のアップリンク制御チャネルリソースから前記アップリンク制御チャネルリソースを選択することは、
前記２つ以上のアップリンク制御チャネルリソースセットのうちの１つを選択することと、
前記ネットワークノードへ前記アップリンク制御情報を送信するために使用すべき前記アップリンク制御チャネルリソースとして、選択された前記アップリンク制御チャネルリソースセットからの前記２つ以上のアップリンク制御チャネルリソースのうちの１つを選択することと、
を含む、
ワイヤレスデバイス。
【請求項１２】
請求項１１のワイヤレスデバイスであって、選択された前記アップリンク制御チャネルリソースセットからの前記２つ以上のアップリンク制御チャネルリソースのうちの前記１つを選択することは、前記ネットワークノードへ前記アップリンク制御情報を送信するために使用すべき前記アップリンク制御チャネルリソースとして、前記ダウンリンク制御チャネルメッセージに含まれる、選択された前記アップリンク制御チャネルリソースセットからの前記２つ以上のアップリンク制御チャネルリソースのうちの１つの選択に使用するためのビットに基づいて、選択された前記アップリンク制御チャネルリソースセットからの前記２つ以上のアップリンク制御チャネルリソースのうちの前記１つを選択すること、を含む、ワイヤレスデバイス。
【請求項１３】
請求項１１のワイヤレスデバイスであって、
前記２つ以上のアップリンク制御チャネルリソースセット内の前記２つ以上のアップリンク制御チャネルリソースから前記アップリンク制御チャネルリソースを選択することは、
前記ダウンリンク制御チャネルメッセージに基づいて、前記２つ以上のアップリンク制御チャネルリソースセットのうちの１つを選択することと、
前記ネットワークノードへ前記アップリンク制御情報を送信するために使用すべき前記アップリンク制御チャネルリソースとして、選択された前記アップリンク制御チャネルリソースセットからの前記２つ以上のアップリンク制御チャネルリソースのうちの１つを選択することと、
を含む、ワイヤレスデバイス。
【請求項１４】
請求項１３のワイヤレスデバイスであって、前記２つ以上のアップリンク制御チャネルリソースのうちの前記１つの選択は、前記ダウンリンク制御チャネルが受信されたダウンリンク制御チャネル候補の開始制御チャネルエレメントインデックス、前記ダウンリンク制御チャネルが受信されたサーチスペース、又は、前記ダウンリンク制御チャネルが受信されたＣＯＲＥＳＥＴ、に基づく、ワイヤレスデバイス。
【請求項１５】
請求項１１のワイヤレスデバイスであって、使用すべき前記アップリンク制御チャネルリソースを決定することは、前記ワイヤレスデバイスが前記ダウンリンク共有チャネル送信をスケジューリングするダウンリンク制御チャネルメッセージを受信する時と前記ワイヤレスデバイスが前記アップリンク制御情報を送信する時との間のタイミングが可変である場合に、使用すべき前記アップリンク制御チャネルリソースを決定すること、を含む、ワイヤレスデバイス。
【請求項１６】
請求項１１のワイヤレスデバイスであって、使用すべき前記アップリンク制御チャネルリソースを決定することは、同じスロット内の複数の制御領域のうちの任意の１つにおいて、前記ワイヤレスデバイスが前記ダウンリンク共有チャネル送信をスケジューリングするダウンリンク制御チャネルメッセージを受信できる場合に、使用すべき前記アップリンク制御チャネルリソースを決定すること、を含む、ワイヤレスデバイス。
【請求項１７】
請求項１の方法であって、前記アップリンク制御チャネルリソースを決定することは、
前記アップリンク制御情報のペイロードサイズ、
前記第１のダウンリンク制御チャネルメッセージ及び前記第２のダウンリンク制御チャネルメッセージのうちの前記直近の受信分の開始制御チャネルエレメントインデックス、並びに、
前記ネットワークノードから受信される前記シグナリング、
に基づいて、２つ以上のアップリンク制御チャネルリソースセット内の前記アップリンク制御チャネルリソースから前記アップリンク制御チャネルリソースを選択すること、を含む、方法。
【請求項１８】
ワイヤレスデバイスを動作させる方法であって、
前記ワイヤレスデバイスへのダウンリンク共有チャネル送信をスケジューリングするダウンリンク制御チャネルを受信することと、
ネットワークノードから、各々２つ以上のアップリンク制御チャネルリソースを含む２つ以上のアップリンク制御チャネルリソースセットの準静的な構成を提供する情報を含むシグナリングを受信することと、
前記ネットワークノードへアップリンク制御情報を送信するために使用すべきアップリンク制御チャネルリソースを決定することであって、前記アップリンク制御情報は、前記ダウンリンク共有チャネル送信についてのハイブリッド自動再送要求（ＨＡＲＱ）フィードバックを含み、前記アップリンク制御チャネルリソースを決定することは、
前記アップリンク制御情報のペイロードサイズ、
前記ダウンリンク制御チャネルが受信されたダウンリンク制御チャネル候補の開始制御チャネルエレメントインデックス、及び、
前記ダウンリンク制御チャネルに含まれるダウンリンク制御チャネルメッセージ、
に基づいて、２つ以上のアップリンク制御チャネルリソースセット内のアップリンク制御チャネルリソースから前記アップリンク制御チャネルリソースを選択すること、を含む、前記決定することと、
決定される前記アップリンク制御チャネルリソースを用いて前記アップリンク制御情報を送信することと、
を含み、
前記２つ以上のアップリンク制御チャネルリソースセット内の前記２つ以上のアップリンク制御チャネルリソースから前記アップリンク制御チャネルリソースを選択することは、
前記２つ以上のアップリンク制御チャネルリソースセットのうちの１つを選択することと、
前記ネットワークノードへ前記アップリンク制御情報を送信するために使用すべき前記アップリンク制御チャネルリソースとして、選択された前記アップリンク制御チャネルリソースセットからの前記２つ以上のアップリンク制御チャネルリソースのうちの１つを選択することと、
を含む、方法。
【請求項１９】
請求項１８の方法であって、選択された前記アップリンク制御チャネルリソースセットからの前記２つ以上のアップリンク制御チャネルリソースのうちの前記１つを選択することは、前記ネットワークノードへ前記アップリンク制御情報を送信するために使用すべき前記アップリンク制御チャネルリソースとして、前記ダウンリンク制御チャネルメッセージに含まれる、選択された前記アップリンク制御チャネルリソースセットからの前記２つ以上のアップリンク制御チャネルリソースのうちの１つの選択に使用するためのビットに基づいて、選択された前記アップリンク制御チャネルリソースセットからの前記２つ以上のアップリンク制御チャネルリソースのうちの前記１つを選択すること、を含む、方法。
【請求項２０】
請求項１８の方法であって、
前記２つ以上のアップリンク制御チャネルリソースセット内の前記２つ以上のアップリンク制御チャネルリソースから前記アップリンク制御チャネルリソースを選択することは、
前記ダウンリンク制御チャネルメッセージに基づいて、前記２つ以上のアップリンク制御チャネルリソースセットのうちの１つを選択することと、
前記ネットワークノードへ前記アップリンク制御情報を送信するために使用すべき前記アップリンク制御チャネルリソースとして、選択された前記アップリンク制御チャネルリソースセットからの前記２つ以上のアップリンク制御チャネルリソースのうちの１つを選択することと、
を含む、方法。
【請求項２１】
請求項２０の方法であって、前記２つ以上のアップリンク制御チャネルリソースのうちの前記１つの選択は、前記ダウンリンク制御チャネルが受信されたダウンリンク制御チャネル候補の開始制御チャネルエレメントインデックス、前記ダウンリンク制御チャネルが受信されたサーチスペース、又は、前記ダウンリンク制御チャネルが受信されたＣＯＲＥＳＥＴ、に基づく、方法。
【請求項２２】
請求項１８の方法であって、使用すべき前記アップリンク制御チャネルリソースを決定することは、前記ワイヤレスデバイスが前記ダウンリンク共有チャネル送信をスケジューリングするダウンリンク制御チャネルメッセージを受信する時と前記ワイヤレスデバイスが前記アップリンク制御情報を送信する時との間のタイミングが可変である場合に、使用すべき前記アップリンク制御チャネルリソースを決定すること、を含む、方法。
【請求項２３】
請求項１８の方法であって、使用すべき前記アップリンク制御チャネルリソースを決定することは、同じスロット内の複数の制御領域のうちの任意の１つにおいて、前記ワイヤレスデバイスが前記ダウンリンク共有チャネル送信をスケジューリングするダウンリンク制御チャネルメッセージを受信できる場合に、使用すべき前記アップリンク制御チャネルリソースを決定すること、を含む、方法。
【発明の詳細な説明】
【技術分野】
【０００１】
［関連出願］
本出願は、２０１７年１０月２６日に出願された仮特許出願第６２／５７７，５７８号の利益を主張し、その開示はここで全体として参照によりここに取り入れられる。
【０００２】
本開示は、セルラー通信ネットワークに関し、より具体的には、物理アップリンク制御チャネル（ＰＵＣＣＨ）リソース割り当てに関する。
【背景技術】
【０００３】
ＮＲ（New  Radio）の運用は、ワイヤレスデバイス（例えば、ユーザ機器（ＵＥ））からネットワークへの多様な制御情報の送信を要する。そうしたアップリンク制御情報（ＵＣＩ）の例は、ハイブリッド自動再送要求（ＨＡＲＱ）確認応答（ＡＣＫ）、チャネル状態情報（ＣＳＩ）及びスケジューリング要求（ＳＲ）である。ＵＣＩを（例えば、スロットインターバルの末端若しくはスロットインターバルの期間中のいずれかで生じる）別個の制御チャネル上で送信することができ、又は、ＵＣＩをデータと多重化してデータチャネル上で送信することができる。例えば、別個の制御チャネルは、物理アップリンク制御チャネル（ＰＵＣＣＨ）であり得る。他の例として、データチャネルは、例えば“ＰＵＳＣＨ上のＵＣＩ”をサポートする、物理アップリンク共有チャネル（ＰＵＳＣＨ）であり得る。
【０００４】
ＰＵＣＣＨフォーマット
以下の表に示されているように、制御情報を送信するために使用することのできるＰＵＣＣＨ向けに定義された複数のフォーマットが存在する。
【０００５】
【表１】
0006701445.tif 000002
【０００６】
ＰＵＣＣＨフォーマット０及び２は、１スロット内の１つ又は２つの直交周波数分割多重（ＯＦＤＭ）シンボル上でのみ送信されることから、ショートＰＵＣＣＨフォーマットとして言及される。ＰＵＣＣＨフォーマット１、３及び４は、（スロット統合無しであれば）１４個までのＯＦＤＭシンボルで送信でき、ＰＵＣＣＨスロット統合が構成される場合には複数のスロットをまたいでさえ送信できることから、ロングＰＵＣＣＨフォーマットとして言及される。表に示したように、ロングＰＵＣＣＨフォーマット及びショートＰＵＣＣＨフォーマットの双方は、それらが収容し得るＵＣＩビットの数に依存して各々さらに細かく分けられる。
【０００７】
単一のスロットは、単一のＰＵＣＣＨフォーマットの複数の送信信号を含んでもよいと共に、複数のＰＵＣＣＨフォーマットの複数の送信信号を含んでもよく、それらは同一のＵＥにより送信されてもされなくてもよい。例えば、１４個のＯＦＤＭシンボルにわたるスロットが、１２個のＯＦＤＭシンボルにわたるロングＰＵＣＣＨに続いて２つのＯＦＤＭシンボルにわたるショートＰＵＣＣＨを含んでもよい。
【０００８】
それら相異なるＰＵＣＣＨフォーマットは、異なる目的のために使用される。２ビット以下を含むＰＵＣＣＨフォーマットは、概して、同じ時間及び周波数リソース内でロングＰＵＣＣＨと共に複数のＵＥを多重化することができ、ショートＰＵＣＣＨよりも多くのユーザを多重化することができる。ＰＵＣＣＨフォーマット４は、各々２ビットよりも多くのビットを有する複数のＵＥを多重化することができる。
【０００９】
ＰＵＣＣＨリソース
ＵＥによりＵＣＩを送信するために使用されるＰＵＣＣＨリソースは、物理リソースブロック（ＰＲＢ）、ＯＦＤＭシンボル、サイクリックシフトを伴うシーケンス、及び使用される直交カバー符号（ＯＣＣ）により定義され得る。留意すべきこととして、ＯＣＣ、シーケンス及びサイクリックシフトは、いくつかのＰＵＣＣＨフォーマットについてのみ適用可能である。
【００１０】
任意の所与のスロットにおいて、ＵＥは、次のうちの１つ以上を送信しなければならないかもしれない。
【００１１】
・ＨＡＲＱ  ＡＣＫ
・ＣＳＩ
・ＳＲ
ＣＳＩ情報は、例えばＮスロットごとに一度のように、周期的に送信されるようにスケジューリングされ得る。ＳＲは、ＵＥが送信すべき何らかのデータを有している場合にＵＥにより送信される。ＨＡＲＱ  ＡＣＫ情報は、ダウンリンクにおける物理ダウンリンク共有チャネル（ＰＤＳＣＨ）送信信号が成功裏に受信されたか否かについて確認応答するために送信される。ＨＡＲＱ  ＡＣＫは、トランスポートブロック全体について確認応答するための単一のビット、又は、トランスポートブロックを含む複数の符号ブロックのうちの符号ブロックグループ（ＣＢＧ）、即ち符号ブロックのセット、を各々表す複数のビットからなり得る。
【００１２】
ＰＵＣＣＨリソースの決定
様々なタイプのＵＣＩの各々について使用されるべきＰＵＣＣＨリソースを、概して、ＮＲ基地局（ｇＮＢ）により制御することができる。準静的な構成（例えば、無線リソース制御（ＲＲＣ）シグナリング）を通じてか、又はダウンリンク制御情報（ＤＣＩ）メッセージの動的なシグナリングを通じてかのいずれかで、明示的なリソース割り当てを介して、これを行うことができる。
【００１３】
加えて、ＵＥは、暗黙的にＰＵＣＣＨリソースを決定することもできる。例えば、ＰＵＣＣＨリソースを、スロット内で送信されるべきＵＣＩビット数に基づいて決定することができる。スケジューリングされたＰＤＳＣＨについてのＨＡＲＱ  ＡＣＫ送信用のＰＵＣＣＨリソースは、当該ＰＤＳＣＨをスケジューリングする受信される制御チャネルメッセージ（ＰＤＣＣＨ）の開始点である制御チャネルエレメント（ＣＣＥ）により暗黙的に決定されることもあり得る。このアプローチは、ＬＴＥ（Long  Term  Evolution）において使用されている。こうした暗黙的なリソース決定によって、動的なシグナリングが被るオーバヘッドを低減し、及びＵＣＩの送信のために異なる複数のＵＥにより決定されるＰＵＣＣＨリソースの間の衝突を回避することを助けることができる。
【００１４】
ｇＮＢは、一般的には、ＵＥにより送信されるべきビット数、又はＳＲなどのＵＥによる自律的な送信をどのリソースで予期すべきかを認識していることから、どのリソース上で全てのＵＣＩ情報を受信しなければならないかを認識する。ＵＥとｇＮＢとの間でＰＵＣＣＨ送信のために使用されるべきリソースについて、ミスマッチが生じ得るあるエラーケースが存在し、例えばそれはＰＤＳＣＨ向けのあるダウンリンク割り当てが逸失した場合である。しかしながら、そうしたミスマッチが生じる確率は非常に小さく、ｇＮＢが複数の仮説上のＰＵＣＣＨリソースについて復号を実行することにより処理できることがある。
【００１５】
ＰＵＣＣＨリソースの決定のための改善されたシステム及び方法についての、特に追加的な柔軟性を提供するものについてのニーズが存在する。
【発明の概要】
【００１６】
ネットワークノードへアップリンク制御情報を送信するために使用すべきアップリンク制御チャネルリソースを決定するためのシステム及び方法が開示される。いくつかの実施形態において、ワイヤレスデバイスにより実行される方法は、第１のダウンリンク共有チャネル送信をスケジューリングする第１のダウンリンク制御チャネルメッセージを受信することと、第２のダウンリンク共有チャネル送信をスケジューリングする第２のダウンリンク制御チャネルメッセージを受信することと、ネットワークノードへアップリンク制御情報を送信するために使用すべきアップリンク制御チャネルリソースを決定することと、を含む。前記アップリンク制御情報は、前記第１のダウンリンク送信及び前記第２のダウンリンク送信の双方についてのハイブリッド自動再送要求（ＨＡＲＱ）フィードバックを含み、前記アップリンク制御情報を送信するための前記アップリンク制御チャネルリソースを決定することは、（ａ）前記ネットワークノードから受信されるシグナリング、及び、（ｂ）前記第１のダウンリンク制御チャネルメッセージ及び前記第２のダウンリンク制御チャネルメッセージのうちの直近の受信分に基づいて前記ワイヤレスデバイスにより行われるリソース決定、に基づいて前記アップリンク制御チャネルリソースを決定すること、を含む。前記方法は、決定される前記アップリンク制御チャネルリソースを用いて前記アップリンク制御情報を送信すること、をさらに含む。
【００１７】
いくつかの実施形態において、前記アップリンク制御チャネルは、物理アップリンク制御チャネルである。
【００１８】
いくつかの実施形態において、前記ネットワークノードから受信される前記シグナリングは、各々２つ以上のアップリンク制御チャネルリソースを含む２つ以上のアップリンク制御チャネルリソースセットの準静的な構成を提供する情報を含み、（ａ）前記ネットワークノードから受信される前記シグナリング、及び、（ｂ）前記第１のダウンリンク制御チャネルメッセージ及び前記第２のダウンリンク制御チャネルメッセージのうちの前記直近の受信分に基づいて前記ワイヤレスデバイスにより行われるリソース決定、に基づいて前記アップリンク制御チャネルリソースを決定することは、前記２つ以上のアップリンク制御チャネルリソースセットのうちの１つを選択することと、前記ネットワークノードへ前記アップリンク制御情報を送信するために使用すべき前記アップリンク制御チャネルリソースとして、前記ネットワークノードからの動的なシグナリングに基づいて、選択された前記アップリンク制御チャネルリソースセットからの前記アップリンク制御チャネルリソースのうちの１つを選択することと、を含む。いくつかの実施形態において、前記第１のダウンリンク制御チャネルメッセージ及び前記第２のダウンリンク制御チャネルメッセージの各々は、選択された前記アップリンク制御チャネルリソースセットからの前記アップリンク制御チャネルリソースのうちの１つの選択に使用するためのビットを含むダウンリンク制御情報メッセージを含み、前記ネットワークノードからの動的なシグナリングに基づいて、選択された前記アップリンク制御チャネルリソースセットからの前記アップリンク制御チャネルリソースのうちの前記１つを選択することは、前記ネットワークノードへ前記アップリンク制御情報を送信するために使用すべき前記アップリンク制御チャネルリソースとして、前記第１のダウンリンク制御チャネル及び前記第２のダウンリンク制御チャネルのうちの前記直近分に含まれる、選択された前記アップリンク制御チャネルリソースセットからの前記アップリンク制御チャネルリソースのうちの１つの選択に使用するための前記ビットに基づいて、選択された前記アップリンク制御チャネルリソースセットからの前記アップリンク制御チャネルリソースのうちの前記１つを選択すること、を含む。
【００１９】
いくつかの実施形態において、前記制御チャネルのどのリソースを使用すべきかの前記決定は、前記ワイヤレスデバイスがダウンリンク送信をスケジューリングするメッセージを受信する時と前記ワイヤレスデバイスが前記アップリンク制御情報を送信する時との間のタイミングが可変である場合に実行される。
【００２０】
いくつかの実施形態において、前記制御チャネルのどのリソースを使用すべきかの前記決定は、同じスロット内の複数の制御領域のうちの任意の１つにおいて、前記ワイヤレスデバイスがダウンリンク送信をスケジューリングするメッセージを受信できる場合に実行される。
【００２１】
いくつかの実施形態において、ワイヤレスデバイスにより実行される方法は、前記ワイヤレスデバイスへダウンリンク共有チャネル送信をスケジューリングするダウンリンク制御チャネルを受信することと、ネットワークノードへアップリンク制御情報を送信するために使用すべきアップリンク制御チャネルリソースを決定することと、を含む。前記アップリンク制御情報は、前記ダウンリンク共有チャネル送信についてのＨＡＲＱフィードバックを含み、前記アップリンク制御チャネルリソースを決定することは、前記アップリンク制御情報のペイロードサイズ、前記ダウンリンク制御チャネルが受信されたダウンリンク制御チャネル候補の開始制御チャネルエレメントインデックス、及び、前記ネットワークノードから受信される動的なシグナリング、に基づいて、２つ以上のアップリンク制御チャネルリソースセット内のアップリンク制御チャネルリソースから前記アップリンク制御チャネルリソースを選択すること、を含む。前記方法は、決定される前記アップリンク制御チャネルリソースを用いて前記アップリンク制御情報を送信すること、をさらに含む。
【００２２】
いくつかの実施形態において、前記方法は、前記ネットワークノードから、各々２つ以上のアップリンク制御チャネルリソースを含む２つ以上のアップリンク制御チャネルリソースセットの準静的な構成を提供する情報を含むシグナリングを受信すること、をさらに含む。さらに、前記２つ以上のアップリンク制御チャネルリソースセット内の前記アップリンク制御チャネルリソースから前記アップリンク制御チャネルリソースを選択することは、前記２つ以上のアップリンク制御チャネルリソースセットのうちの１つを選択することと、前記ネットワークノードへ前記アップリンク制御情報を送信するために使用すべき前記アップリンク制御チャネルリソースとして、前記ネットワークノードからの動的なシグナリングに基づいて、選択された前記アップリンク制御チャネルリソースセットからの前記アップリンク制御チャネルリソースのうちの１つを選択することと、を含む。いくつかの実施形態において、前記ダウンリンク制御チャネルは、選択された前記アップリンク制御チャネルリソースセットからの前記アップリンク制御チャネルリソースのうちの１つの選択に使用するためのビットを含むダウンリンク制御情報メッセージを含み、前記ネットワークノードからの動的なシグナリングに基づいて、選択された前記アップリンク制御チャネルリソースセットからの前記アップリンク制御チャネルリソースのうちの前記１つを選択することは、前記ネットワークノードへ前記アップリンク制御情報を送信するために使用すべき前記アップリンク制御チャネルリソースとして、前記ダウンリンク制御チャネルに含まれる、選択された前記アップリンク制御チャネルリソースセットからの前記アップリンク制御チャネルリソースのうちの１つの選択に使用するための前記ビットに基づいて、選択された前記アップリンク制御チャネルリソースセットからの前記アップリンク制御チャネルリソースのうちの前記１つを選択すること、を含む。
【００２３】
いくつかの実施形態において、前記方法は、前記ネットワークノードから、各々２つ以上のアップリンク制御チャネルリソースを含む２つ以上のアップリンク制御チャネルリソースセットの準静的な構成を提供する情報を含むシグナリングを受信すること、をさらに含む。さらに、前記２つ以上のアップリンク制御チャネルリソースセット内の前記アップリンク制御チャネルリソースから前記アップリンク制御チャネルリソースを選択することは、前記ネットワークノードからの動的なシグナリングに基づいて、前記２つ以上のアップリンク制御チャネルリソースセットのうちの１つを選択することと、前記ネットワークノードへ前記アップリンク制御情報を送信するために使用すべき前記アップリンク制御チャネルリソースとして、暗黙的な決定を用いて、選択された前記アップリンク制御チャネルリソースセットからの前記２つ以上のアップリンク制御チャネルリソースのうちの１つを選択することと、を含む。いくつかの実施形態において、前記暗黙的な決定は、前記ダウンリンク制御チャネルが受信されたダウンリンク制御チャネル候補の開始制御チャネルエレメントインデックス、前記ダウンリンク制御チャネルが受信されたサーチスペース、又は、前記ダウンリンク制御チャネルが受信されたＣＯＲＥＳＥＴ、に基づく。
【００２４】
いくつかの実施形態において、前記制御チャネルのどのリソースを使用すべきかの前記決定は、前記ワイヤレスデバイスがダウンリンク送信をスケジューリングするメッセージを受信する時と前記ワイヤレスデバイスが前記アップリンク制御情報を送信する時との間のタイミングが可変である場合に実行される。
【００２５】
いくつかの実施形態において、前記制御チャネルのどのリソースを使用すべきかの前記決定は、同じスロット内の複数の制御領域のうちの任意の１つにおいて、前記ワイヤレスデバイスがダウンリンク送信をスケジューリングするメッセージを受信できる場合に実行される。
【００２６】
ワイヤレスデバイスの実施形態もまた開示される。いくつかの実施形態において、ワイヤレスデバイスは、インタフェースと、処理回路と、を備え、前記処理回路は、前記ワイヤレスデバイスに、第１のダウンリンク共有チャネル送信をスケジューリングする第１のダウンリンク制御チャネルを受信することと、第２のダウンリンク共有チャネル送信をスケジューリングする第２のダウンリンク制御チャネルを受信することと、ネットワークノードへアップリンク制御情報を送信するために使用すべきアップリンク制御チャネルリソースを決定することと、を行わせるように構成される。前記アップリンク制御情報は、前記第１のダウンリンク送信及び前記第２のダウンリンク送信の双方についてのＨＡＲＱフィードバックを含み、前記アップリンク制御情報を送信するための前記アップリンク制御チャネルリソースを決定することは、（ａ）前記ネットワークノードから受信されるシグナリング、及び、（ｂ）前記第１のダウンリンク制御チャネル及び前記第２のダウンリンク制御チャネルのうちの直近の受信分に基づいて前記ワイヤレスデバイスにより行われるリソース決定、に基づいて前記アップリンク制御チャネルリソースを決定すること、を含む。前記処理回路は、前記ワイヤレスデバイスに、決定される前記アップリンク制御チャネルリソースを用いて前記アップリンク制御情報を送信すること、を行わせるようにさらに構成される。
【００２７】
いくつかの実施形態において、ワイヤレスデバイスは、インタフェースと、処理回路と、を備え、前記処理回路は、前記ワイヤレスデバイスに、前記ワイヤレスデバイスへのダウンリンク共有チャネル送信をスケジューリングするダウンリンク制御チャネルを受信することと、ネットワークノードへアップリンク制御情報を送信するために使用すべきアップリンク制御チャネルリソースを決定することと、を行わせるように構成される。前記アップリンク制御情報は、前記ダウンリンク共有チャネル送信についてのＨＡＲＱフィードバックを含む。前記アップリンク制御チャネルリソースを決定するために、前記処理回路は、前記ワイヤレスデバイスに、前記アップリンク制御情報のペイロードサイズ、前記ダウンリンク制御チャネルが受信されたダウンリンク制御チャネル候補の開始制御チャネルエレメントインデックス、及び、前記ネットワークノードから受信される動的なシグナリング、に基づいて、２つ以上のアップリンク制御チャネルリソースセット内のアップリンク制御チャネルリソースから前記アップリンク制御チャネルリソースを選択すること、を行わせるようにさらに構成される。前記処理回路は、前記ワイヤレスデバイスに、決定される前記アップリンク制御チャネルリソースを用いて前記アップリンク制御情報を送信すること、を行わせるようにさらに構成される。
【図面の簡単な説明】
【００２８】
本明細書に取り入れられその一部をなす添付図面の図は、本開示のいくつかの観点を示しており、その説明と共に本開示の原理の説明に供される。
【図１】ここで開示される実施形態の少なくともいくつかの観点に従った例示的なワイヤレスネットワークを示している。
【図２】ここで説明される多様な観点に従ったユーザ機器（ＵＥ）の１つの実施形態を示している。
【図３】ここで開示されるいくつかの実施形態により実装される機能が仮想化され得る仮想化環境を示す概略ブロック図である。
【図４】本開示のいくつかの実施形態に従った、ホストコンピュータへ中間ネットワークを介して接続される電気通信ネットワークを示している。
【図５】本開示のいくつかの実施形態に従った、部分的にワイヤレスな接続上で基地局を介してＵＥと通信するホストコンピュータの概略ブロック図である。
【図６】本開示の１つの実施形態に従った、通信システムにおいて実装される方法を示すフローチャートである。
【図７】本開示の１つの実施形態に従った、通信システムにおいて実装される方法を示すフローチャートである。
【図８】本開示の１つの実施形態に従った、通信システムにおいて実装される方法を示すフローチャートである。
【図９】本開示の１つの実施形態に従った、通信システムにおいて実装される方法を示すフローチャートである。
【図１０】ここで開示される実施形態の少なくともいくつかの観点に従った、ＵＥの動作を示すフローチャートである。
【図１１】本開示の１つの実施形態の少なくともいくつかの観点を示すフローチャートである。
【図１２】本開示の１つの実施形態の少なくともいくつかの観点を示すフローチャートである。
【図１３】本開示の１つの実施形態の少なくともいくつかの観点を示すフローチャートである。
【図１４】ワイヤレスネットワーク（例えば、図１に示したワイヤレスネットワーク）内の装置の概略ブロック図を示している。
【発明を実施するための形態】
【００２９】
以下に説示する実施形態は、当業者がそれら実施形態を実践することを可能にする情報を表現し、及びそれら実施形態の実践の最良の形態を示す。添付図面の図を踏まえて以下の説明を読めば、当業者は、本開示の概念を理解し、及びここで具体的には扱われていないそれら概念の応用を認識するであろう。それら概念及び応用は本開示のスコープの範囲内に入ることが理解されるべきである。
【００３０】
概して、ここで使用される全ての用語は、異なる意味が明確に与えられていない限り、及び／又は使用されている文脈から異なる意味が示唆されていない限り、関係する技術分野におけるそれらの通常の意味に従って解釈されるべきである。あるエレメント、装置、コンポーネント、手段、ステップなどへの全ての言及は、別段の明示的な記述の無い限り、それらエレメント、装置、コンポーネント、手段、ステップなどの少なくとも１つのインスタンスへの言及としてオープンに解釈されるべきである。あるステップが他のステップに後続し若しくは先行するものとして明示的に説明されておらず、及び／又は、あるステップが他のステップに後続し若しくは先行しなければならないことが暗黙の了解でない限り、ここで開示されるいかなる方法のステップも、開示された厳密な順序で実行されなくてよい。ここで開示される任意の実施形態の任意の特徴が、適切であるならば、他の任意の実施形態へ適用されてよい。同様に、任意の実施形態の任意の利点が、他のどの実施形態にも当てはまり得るものであり、逆もまたしかりである。包含される実施形態の他の目的、特徴及び利点が以下の説明から明らかとなるであろう。
【００３１】
ここで企図される実施形態のいくつかが、これより添付図面を参照しながらより十分に説明されるであろう。しかしながら、ここで開示される主題のスコープの範囲内に他の実施形態も含まれるものであり、開示される主題は、ここで説示される実施形態のみに限定されるものとして解釈されるべきではなく、むしろ、それら実施形態は当業者へその主題のスコープを伝えるための例として提供される。
【００３２】
現在のところ、物理アップリンク制御チャネル（PUCCH）リソースの決定に関するある課題が存在する。例えば、ＰＵＣＣＨリソースの決定のための既存の解決策は、準静的な（例えば、無線リソース制御（ＲＲＣ））シグナリングと動的な（ダウンリンク制御情報（ＤＣＩ）メッセージ）シグナリングとの組み合わせといった明示的なシグナリングか、又は、明示的なシグナリングと暗黙的な決定（例えば、物理ダウンリンク制御チャネル（ＰＤＣＣＨ）についての開始制御チャネルエレメント（ＣＣＥ）インデックスの使用）との組み合わせかのいずれかを使用する。ＰＵＣＣＨリソースの決定のための暗黙的な方法の使用は、シグナリングオーバヘッドを低減し及び／又は相異なるユーザ機器（ＵＥ）向けのＰＵＣＣＨリソースの間の衝突を最小化するために用いられる。このやり方でのＰＵＣＣＨリソースの暗黙的な決定を用いる既存の解決策は、スケジューリングされる物理ダウンリンク共有チャネル（ＰＤＳＣＨ）送信についてのハイブリッド自動再送要求（ＨＡＲＱ）確認応答（ＨＡＲＱ  ＡＣＫ）フィードバックを搬送するＰＵＣＣＨのタイミングが固定的である、ＬＴＥ（Long  Term  Evolution）のようなシステムでは良好に作動する。しかしながら、ＰＵＣＣＨリソースの暗黙的な決定のための既存の方法は、ＰＤＳＣＨをスケジューリングするＰＤＣＣＨの受信とＰＵＣＣＨ上でのＨＡＲＱ  ＡＣＫフィードバックの送信との間の送信のタイミングが固定的でなく可変である場合に、良好に作動しない。また、既存の方法は、ＰＤＳＣＨをスケジューリングするＰＤＣＣＨを同一のスロット内の複数の制御領域のうちの任意の領域で受信することができる場合に、良好に作動しない。
【００３３】
本開示のある観点及びそれらの実施形態は、これらの又は他の課題に対する解決策を提供し得る。例えば、いくつかの実施形態において、ＵＥは、ＨＡＲＱ  ＡＣＫフィードバックの柔軟なタイミングとスロット内の相異なる制御領域（例えば、ＣＯＲＥＳＥＴ）におけるＰＤＣＣＨの受信とを扱うために、明示的なシグナリングと暗黙的なリソース決定との組み合わせを用いる。明示的なシグナリングは、ＲＲＣシグナリング（準静的）とＤＣＩメッセージ（動的）内のフィールドとの組み合わせからなる。
【００３４】
いくつかの実施形態において、上記ＲＲＣシグナリングを、１つ以上のスロット内の異なるＣＯＲＥＳＥＴについてのＰＵＣＣＨリソースの異なるセットを構成するために使用することができ、それを元にして、異なるセット内のＰＵＣＣＨリソースが互いに直交するようにそれらリソースを決定するために暗黙的な決定を使用することができる。
【００３５】
他の実施形態において、上記ＲＲＣシグナリングを、同じリソースセット内に存在するリソースよりも多くのＵＥについて当該セットを構成するために使用することができ、それらＵＥは一緒に送信を行う確率がより低いものとして選択される。これは、それらＵＥが同じスロット内で他のＵＥとリソースを共有する可能性が低くなるほどに非常に高いデータレートの要件を有していることを理由とし得る。
【００３６】
いくつかの実施形態において、上記動的なシグナリングを、開始インデックスを指し示すために使用することができ、当該開始インデックスに対して相対的にＰＵＣＣＨリソースを暗黙的に決定することができる。
【００３７】
いくつかの実施形態において、上記動的なシグナリングを、スロットインデックス及び／又は使用すべきＰＵＣＣＨフォーマット指し示すために使用することができる。
【００３８】
いくつかの実施形態において、暗黙的なＰＵＣＣＨリソース決定における曖昧さを回避するために、ダウンリンク用の複数の制御領域をまたいで及び複数のスロットをまたいで、共通的なインデックス付け方法が使用される。いくつかの実施形態において、物理アップリンク共有チャネル（ＰＵＳＣＨ）上のアップリンク制御情報（ＵＣＩ）のためのアップリンクグラント後に受信されるＰＤＳＣＨについてのＨＡＲＱフィードバックは、アップリンクグラント前に受信されるＰＤＳＣＨについてのＨＡＲＱフィードバックとは異なる形で扱われる。異なる取り扱いの１つの例は、潜在的な符号ブロックグループ（ＣＢＧ）構成が適用されない代わりにトランスポートブロックベースのフィードバックが使用されることである。
【００３９】
ある実施形態は、次の技術的利点のうちの１つ以上を提供し得る。例えば、ある実施形態は、ＰＵＣＣＨリソース割り当てについてのオーバヘッドを最小化しつつ相異なるＵＥへ割り当てられるＰＵＣＣＨリソース間の衝突を最小に維持するという技術的利点を含み得る。
【００４０】
一般的な問題を次のように記述することができる。所与のスロットにおいて、ＵＥは、周期的な又は非周期的なチャネル状態情報（ＣＳＩ）及び／又はＨＡＲＱ  ＡＣＫ及び／又はスケジューリング要求（ＳＲ）を送信しなければならないであろう。そのために、ＵＥはＰＵＣＣＨリソースを決定しなければならず、それは、物理リソースブロック（ＰＲＢ）と直交周波数分割多重（ＯＦＤＭ）シンボルと潜在的にはシーケンスとのセットでのＰＵＣＣＨフォーマット、サイクリックシフト、及び、使用されるＰＵＣＣＨフォーマットに依存して直交カバー符号（ＯＣＣ）を含む。ＰＵＣＣＨリソースは、基地局（即ち、ＮＲ（New  Radio）の専門用語における次世代ノードＢ（ｇＮＢ））からの明示的なシグナリング、及び恐らくは何らかの暗黙的な方法に基づいて決定される。ＨＡＲＱ  ＡＣＫ送信は、スロットｎを含む複数のスロットのうちの１つにおいて受信されるＰＤＳＣＨ送信についてのものであり得る。次の議論は、動的なシグナリングのためのオーバヘッド及び相異なるＵＥについて決定されるＰＵＣＣＨリソースの間の衝突を最小化しつつＰＵＣＣＨリソースを決定することを可能にする実施形態の例を提供する。
【００４１】
それら実施形態は、次の例を用いて示される。ｎ、ｎ＋１及びｎ＋２と付番された３つのスロットのセットを検討する。スロットｎはダウンリンク送信のみを伴うスロットであり、スロットｎ＋１はアップリンク送信に続いてダウンリンク送信を搬送し、スロットｎ＋２はアップリンク送信のみを搬送する。スロットｎ＋１は、ＰＵＣＣＨフォーマット０及び２の送信のために使用されることができ、即ち、２ビットまでのためのショートＰＵＣＣＨ及び２つよりも多くのビットのためのショートＰＵＣＣＨである。スロットｎ＋２は、ＰＵＣＣＨフォーマット１及び３（２ビットまでのためのロングＰＵＣＣＨ及び２つよりも多くのビットのためのロングＰＵＣＣＨ）と、それに続くＰＵＣＣＨフォーマット０及び２（２ビットまでのためのショートＰＵＣＣＨ及び２つよりも多くのビットのためのショートＰＵＣＣＨ）の送信のために使用されることができる。
【００４２】
スロットｎ及びｎ＋１において受信されるＰＤＳＣＨについてのＨＡＲＱ  ＡＣＫは、ＨＡＲＱ  ＡＣＫを含むペイロードサイズに加えて潜在的なＣＳＩ及びＳＲの送信に依存して、スロットｎ＋１又はスロットｎ＋２内のＰＵＣＣＨリソースのいずれかで送信され得る。時間的に使用可能な最初のＰＵＣＣＨリソースは、ＵＥの処理ケイパビリティ、即ち受信した対応するダウンリンク送信の後にＨＡＲＱフィードバック送信を準備するためにどの程度の時間が掛かるか、により制限される。
【００４３】
実施形態１：
本実施形態において、複数のスロットをまたいだ全てのＣＯＲＥＳＥＴのセットは、共通的な方式を用いてインデックス付けされ、やはり共通的な方式を用いてインデックス付けされる複数のスロットをまたいだ全てのＰＵＣＣＨリソースへマッピングされる。検討対象の上記３つのスロットの例において、ＵＥ向けに構成されるスロットｎ及びｎ＋１内の全てのＣＯＲＥＳＥＴ内の全てのＰＤＣＣＨ候補は、一意なインデックスを有する。同様に、スロットｎ＋１及びｎ＋２内の全てのＰＵＣＣＨリソースは、一意なインデックスを有する。ＰＤＣＣＨ候補のインデックスは、ＨＡＲＱ  ＡＣＫ送信が生じるはずのリソースを暗黙的に決定することができるように、ＰＵＣＣＨリソースインデックスへマッピングされる。ＰＤＣＣＨ候補からＰＵＣＣＨリソースへのマッピングは、ＲＲＣシグナリングを介して各ＵＥ向けに準静的に構成される。その準静的に構成されるマッピングは、ＵＥ向けに構成されるＣＯＲＥＳＥＴの数に加えて、ＰＵＣＣＨリソースが利用可能であり得るアップリンク送信を搬送する未来のスロットに依存する。
【００４４】
注記され得ることとして、本実施形態では、ＨＡＲＱ  ＡＣＫフィードバックにおける遅延は、スケジューリングのために適切なＰＤＣＣＨ候補を選択することにより動的に制御される。ＰＵＣＣＨリソースに対するＰＤＣＣＨ候補のマッピングは、準静的に変更され得るが、動的には変更されない。当然ながら、これがいくつかのスケジューリングの制約を生み出す。さらに、全ての候補を網羅的に探索するブラインド復号をＵＥが実行できるようになることは予期されず、これがスケジューリングにおけるさらなる制限を生み出す。遅延又は他のパラメータを動的に選択するための、より大きな柔軟性を提供する例について、以下で議論される実施形態３〜８を参照されたい。
【００４５】
上記解決策をより動的なものとするために、複数のそうしたマッピングと共にＵＥを構成し、それら構成されたマッピングのうちの１つを選択するための動的な情報をＤＣＩにおいて用いることが考えられる。
【００４６】
例えば初期アクセス後又はＲＲＣ再構成の期間中など、ＲＲＣ構成情報が利用可能でないケースのために、既定のマッピングが特定される。
【００４７】
実施形態２：
本実施形態は実施形態１を簡略化したものであり、ＰＤＣＣＨリソース及びＰＵＣＣＨリソースのインデックス付けは一意でなくてもよい。代わりに、ＰＵＣＣＨリソースの異なる複数のセットを構成するためにＲＲＣシグナリングを使用することができ、それを元にして、１つ以上のスロット内の異なるＣＯＲＥＳＥＴについて、異なるＣＯＲＥＳＥＴに対応する異なるセット内のリソースが互いに直交するようにＰＵＣＣＨリソースを決定するために暗黙的な決定を使用することができる。ＰＵＣＣＨリソースについての既定のマッピングは、ＣＯＲＥＳＥＴが最初に構成される際に構成され得る。その既定のマッピングは、使用すべきマッピングが曖昧であり得るＲＲＣ再構成の期間中に使用されてもよい。
【００４８】
ＲＲＣ構成が利用可能でない初期アクセス後に、残余システム情報（ＲＭＳＩ）が受信される共通サーチスペースを搬送するＣＯＲＥＳＥＴのためのＰＵＣＣＨリソースの既定のマッピングが特定される。
【００４９】
実施形態３：
本実施形態において、ＵＥは、複数のＰＵＣＣＨリソースセットと共に準静的に構成され、それらＰＵＣＣＨリソースセットの各々の複数のエレメントの各々が単一のＰＵＣＣＨリソースに対応する。ＨＡＲＱ  ＡＣＫフィードバックがＵＣＩの一部である場合には、ＵＣＩペイロード及び次のうちの１つ以上に基づいて、ＵＥにより暗黙的にＰＵＣＣＨリソースセットが選択される：
・ＰＤＳＣＨ（即ち、ＨＡＲＱ  ＡＣＫフィードバックが提供されることになるＰＤＳＣＨ送信）をスケジューリングするＰＤＣＣＨが受信されるＣＯＲＥＳＥＴ
・上記ＣＯＲＥＳＥＴ内のサーチスペース（即ち、ＰＤＳＣＨをスケジューリングするＰＤＣＣＨが受信される上記ＣＯＲＥＳＥＴ内のサーチスペース）
・上記サーチスペース内のＰＤＣＣＨ候補の開始ＣＣＥインデックス（即ち、ＰＤＳＣＨをスケジューリングするＰＤＣＣＨが受信される上記サーチスペース内のＰＤＣＣＨ候補の開始ＣＣＥインデックス）
上記要因に基づいてＵＥがいかにして暗黙的にＰＵＣＣＨリソースセットを決定するかもまた、準静的に構成されることができる。動的なシグナリングは、暗黙的に選択されるＰＵＣＣＨリソースセットの範囲内からＰＵＣＣＨリソースを選択するために使用される。
【００５０】
３つのスロットを伴う検討されるシナリオについての、本実施形態に係る一例としてのＰＵＣＣＨリソース決定手続は、次のように記述される。まず、ＵＥは、当該ＵＥ向けに構成される全てのＣＯＲＥＳＥＴをまたいで、各ＰＤＣＣＨ候補についてＰＵＣＣＨリソースセットを選択するように準静的に構成される。各ＣＯＲＥＳＥＴについて既定のマッピングが構成され、これはＲＲＣ再構成の期間中に使用され得る。全てのＰＵＣＣＨリソースセットは、スロットｎ＋１でのショートＰＵＣＣＨフォーマット、ｎ＋２でのショートＰＵＣＣＨフォーマット及びスロットｎ＋２でのロングＰＵＣＣＨフォーマットに対応する少なくとも１つのエントリを有する。そして、具体的なスロットにおいて受信されるＰＤＳＣＨについてのＰＵＣＣＨリソースが下記ステップを用いて決定される。
・使用されるＰＵＣＣＨフォーマットが２ビットまでのものか又は２つよりも多くのビットのものかが、ペイロードサイズに基づいてＵＥにより暗黙的に決定される。
・次いで、ＣＣＥインデックス、成功裏に受信されたＰＤＣＣＨのサーチスペース、及びオプションとしてＰＤＣＣＨをスクランブルするために使用される識別子（無線ネットワーク一時識別子（ＲＮＴＩ））を用いて、選択されたＰＵＣＣＨフォーマットに対応する一群の構成済みＰＵＣＣＨリソースセット内の単一のＰＵＣＣＨリソースセットが決定される。
・ＤＣＩメッセージにおける動的なシグナリング（２ビット）を用いて、選択されたＰＵＣＣＨリソースセットの範囲内から単一のＰＵＣＣＨリソースが決定される。
【００５１】
本実施形態は、ＨＡＲＱ  ＡＣＫフィードバックのレイテンシを制御するためのより大きな柔軟性をｇＮＢへ与える。これを例証するために、３スロットの例の範囲内で、ＰＤＣＣＨ候補、ブラインド復号及びＰＵＣＣＨリソースの次の例示的な構成を検討されたい。
【００５２】
ＲＲＣ構成が利用可能でない初期アクセス後に、ＲＭＳＩが受信される共通サーチスペースを搬送するＣＯＲＥＳＥＴ内のＰＤＣＣＨ候補の各々のためのＰＵＣＣＨリソースセットの既定のマッピングが特定される。ＲＲＣ再構成の期間中にＲＲＣ構成情報が曖昧であるケースを扱うために、ＣＯＲＥＳＥＴ内のＰＤＣＣＨ候補の各々についてＰＵＣＣＨリソースセットの既定のマッピングが、ＣＯＲＥＳＥＴ構成の一部として構成される。
【００５３】
スロットｎが４つの異なるＵＥ向けに構成される２つのＣＯＲＥＳＥＴを有するものとしよう。各ＣＯＲＥＳＥＴは、２つのＰＤＣＣＨ候補を有する。４つのＰＤＣＣＨ候補は、１、２、３及び４と付番され、ＰＤＣＣＨ候補１及び２は第１のＣＯＲＥＳＥＴ内にあり、ＰＤＣＣＨ候補３及び４は第２のＣＯＲＥＳＥＴ内にある。４つのＰＵＣＣＨリソースＡ、Ｂ、Ｃ及びＤのうちＰＵＣＣＨリソースＡ及びＢがスロットｎ＋１内にあり、ＰＵＣＣＨリソースＣ及びＤがスロットｎ＋２内にあるものとしよう。また、４つのＵＥ  Ｕ１、Ｕ２、Ｕ３及びＵ４が存在し、２つのブラインド復号ＰＤＣＣＨ候補を伴って各々次のように構成されるものとしよう。
【００５４】
【表２】
0006701445.tif 000003
【００５５】
実施形態１に係るＰＤＣＣＨ候補からＰＵＣＣＨリソースへのマッピングは、｛１，２，３，４｝＝＞｛Ａ，Ｂ，Ｃ，Ｄ｝であるものとしよう。そして、ＵＥ  Ｕ１及びＵ３が一緒にスケジューリングされるものとしよう。明らかなこととして、Ｕ１が一旦候補１においてスケジューリングされると、Ｕ３はＰＤＣＣＨ候補４においてのみスケジューリング可能であり、ＰＤＣＣＨ候補４はスロットｎ＋２においてＰＵＣＣＨリソースＤへマッピングされることから、Ｕ３は自身のＨＡＲＱフィードバックの獲得において２スロットの遅延を被らなければならない。
【００５６】
ここで、実施形態２に係るＰＤＣＣＨ候補からリソースセットへのマッピングは、｛１，２，３，４｝＝＞｛｛Ａ，Ｃ｝，｛Ｂ，Ｄ｝，｛Ｂ，Ｄ｝，｛Ａ，Ｃ｝｝であるものとしよう。そして、上の実施形態１の例のケースのように、ＵＥ  Ｕ１及びＵＥ  Ｕ３が一緒にスケジューリングされるものとすると、Ｕ１はＰＵＣＣＨリソースセット｛Ａ，Ｃ｝を使用し、Ｕ３はＰＵＣＣＨリソースセット｛Ｂ，Ｄ｝を使用する。ここで、各ＵＥについてＰＤＳＣＨをスケジューリングするＤＣＩメッセージ内で送信される単一のビットで、ｇＮＢはＵ１にＰＵＣＣＨリソースＡを選択させ及びＵ３にＰＵＣＣＨリソースＢを選択させ、ｇＮＢはスロットｎ＋２の代わりにスロットｎ＋１においてＵＥについてのＨＡＲＱ  ＡＣＫフィードバックを得ることができる。
【００５７】
暗黙的な決定により選択されるＰＵＣＣＨリソースセット内の複数の選択肢の包含によりこのタイプの柔軟性が提供されること、及び、ＰＵＣＣＨリソースセットを他のタイプの柔軟性を提供するように構成することができることが、当業者にとって明らかであろう。例えば、ＰＵＣＣＨリソースセットは、異なるフォーマットの間で選択を行うようにｇＮＢがＵＥを動的に仕向けることができるように、異なる複数のＰＵＣＣＨフォーマットに対応する複数のエントリを有していてもよく、又は、選択されるＰＵＣＣＨセット内の異なる複数のエントリが同じスロットの範囲内の異なる複数のＯＦＤＭシンボル内のＰＵＣＣＨリソースに対応してもよい。
【００５８】
実施形態４：
本実施形態は、具体的なスロット及びショート又はロングＰＵＣＣＨフォーマットにエントリを制限されたＰＵＣＣＨリソースセットを選択するために、まず動的なシグナリングが使用され、そしてＰＵＣＣＨリソースセットの範囲内からＰＵＣＣＨリソースを決定するために暗黙的なＰＵＣＣＨリソース決定が使用される点で、実施形態３と相違する。検討されるシナリオについてのＰＵＣＣＨリソース決定のためのステップは、次のように描写され得る：
・使用されるＰＵＣＣＨフォーマットが２ビットまでのものか又は２つよりも多くのビットのものかが、ペイロードサイズに基づいてＵＥにより暗黙的に決定される。
・ＤＣＩメッセージにおける動的なシグナリングは、準静的に構成されるある複数のＰＵＣＣＨリソースセットの間で選択を行うために使用される。例えば、ＤＣＩメッセージは、スロットｎ＋１内のＰＵＣＣＨリソースセットを使用するのか又はスロットｎ＋２内のＰＵＣＣＨリソースセットを使用するのかを決定するために、及びそのＰＵＣＣＨリソースセットがショートＰＵＣＣＨに対応するエントリを含むのか又はロングＰＵＣＣＨに対応するエントリを含むのかを決定するために使用され得る。この例において、全てのＰＵＣＣＨリソースセットが、従って、単一のＰＵＣＣＨフォーマットにのみ対応するエントリを有する。
・次いで、ＣＣＥインデックス、成功裏に受信されたＰＤＣＣＨのサーチスペース、及びオプションとしてＰＤＣＣＨをスクランブルするために使用される識別子（ＲＮＴＩ）を用いて、選択されたＰＵＣＣＨフォーマットに対応する一群のＰＵＣＣＨリソースセット内の単一のＰＵＣＣＨリソースが決定される。
【００５９】
ＲＲＣ構成が利用可能でない初期アクセス後に、ＤＣＩシグナリングによるＰＵＣＣＨリソースセットの選択元である既定のＰＵＣＣＨリソースセットの集合が特定される。加えて、それらＰＵＣＣＨリソースセットの各々について、残余システム情報（ＲＭＳＩ）が受信される共通サーチスペースを搬送するＣＯＲＥＳＥＴ内のＰＤＣＣＨ候補の各々についてのＰＵＣＣＨリソースの既定のマッピングが特定され得る。ＲＲＣ再構成の期間中にＲＲＣ構成情報が曖昧であるケースを扱うために、ＤＣＩシグナリングを介する選択済みの値の各々についてのＰＵＣＣＨリソースセットの既定のマッピング、及びＣＯＲＥＳＥＴ内のＰＤＣＣＨ候補の各々についてのそれらＰＵＣＣＨリソースセットの各々の範囲内のＰＵＣＣＨリソースのマッピングが、ＣＯＲＥＳＥＴ構成の一部として構成される。
【００６０】
注記し得ることとして、検討対象の例について、本実施形態では、あるＵＥ向けに構成される４つのＰＵＣＣＨリソースセットが存在し、各ＰＵＣＣＨリソースセットは潜在的にＰＵＣＣＨリソースの大きいセットを有し、そのＰＵＣＣＨリソースの数はｇＮＢにおいてＰＤＣＣＨをスケジューリングするために利用可能なＰＤＣＣＨ候補の数に相関する。対照的に、実施形態３では、各リソースセットは、最大で４つのエントリを有するのみであり、暗黙的な決定を使用してＰＵＣＣＨリソースセットを選択した後に、ＤＣＩシグナリングの２ビットによってそこから単一のＰＵＣＣＨリソースが選択される。
【００６１】
この実施形態のバリエーションにおいて、次を含む他の手法で、ＰＵＣＣＨリソースセットの間で選択を行うためにＤＣＩシグナリングが使用されてもよい：
・ＰＵＣＣＨリソースセットの開始インデックス。例えば、共通ＰＵＣＣＨリソース及び実施形態１におけるＰＤＣＣＨ候補の付番方式を用いて、ＤＣＩシグナリングを用いて、ＰＵＣＣＨリソースのセットについての４つの構成済みの開始インデックスのうちの１つの間で選択が行われてもよく、そこから暗黙的な決定を用いてＰＵＣＣＨリソースが選択される。
・同じスロット内の異なる複数のＰＵＣＣＨ内のＰＵＣＣＨリソース。例えば、異なる複数のＯＦＤＭシンボル又は異なる複数のＰＲＢ内のＰＵＣＣＨの間で選択を行うために、ＤＣＩシグナリングを使用できるはずである。
・ホッピング無しを含む、異なる複数の周波数ホッピング構成。周波数ホッピングを使用すべきか、及び使用すべきである場合にはＰＵＣＣＨの始点に対して相対的にそのホップの場所はどこであり得るのかを選択するために、ＤＣＩシグナリングを使用できるはずである。
【００６２】
当業者にとって明白であるべきこととして、受信されるＰＤＣＣＨの場所といった他の手段によってＰＵＣＣＨリソースの決定のためにどのセットを使用すべきかを指し示すＤＣＩシグナリングと共に、利用可能なリソースの他の区分けを行うことができる。
【００６３】
実施形態５：
上の実施形態のいずれにおいても、サポートされるＵＥの数は、利用可能なＰＵＣＣＨリソースの数よりも格段に大きくてよく、その統計的な多重化の恩恵が、閉塞及び衝突の確率を受け入れ可能な程度に低い値に維持しつつ、より多くのＵＥをサポートすることを可能にする。本実施形態において、同じＰＵＣＣＨリソース又はＰＵＣＣＨリソースセットへマッピングされるものとして構成されるように選択されるＵＥは、一緒に送信を行う確率のより低いＵＥである。これは、それらＵＥが同じスロット内で他のＵＥとリソースを共有する可能性が低くなるほどに非常に高いデータレートの要件を有していることを理由とし得る。
【００６４】
実施形態６：
同じＰＵＣＣＨリソースについてフィードバック送信が競合する複数のダウンリンクコンポーネントキャリア及び／又は帯域幅部分と共にＵＥが構成される場合に備え、構成される全てのダウンリンクキャリア及び／又は帯域幅部分をまたいでＣＯＲＥＳＥＴ／ＰＤＣＣＨ候補のインデックス付けがなされる。構成されるダウンリンクキャリア及び／又は帯域幅部分の代わりに、アクティブ化されるダウンリンクキャリア及び／又は帯域幅部分のみを考慮することが可能である。前述の実施形態のうちの任意のものにおいて教示した方法と共に、本実施形態を使用することができる。
【００６５】
複数のダウンリンクコンポーネントキャリア及び／又は帯域幅部分と共にＵＥが構成される場合に備えた他のやり方は、プライマリセルのみがスケジューリングされる場合にはプライマリセルに位置するＣＯＲＥＳＥＴ／ＰＤＣＣＨからＰＵＣＣＨリソースを選択し、少なくとも１つのセカンダリセルがスケジューリングされる場合には異なるＰＵＣＣＨリソースセットからＰＵＣＣＨリソースを選択することである。第２のケースについて、スケジューリングされる全てのセカンダリセルにわたり最小のキャリアインデックスを伴うキャリアに基づいて、ＰＵＣＣＨリソース候補を選択することができる。他の手法は、プライマリセルがリソース候補に含まれる場合に、純粋にプライマリセルのリソースセットからリソース候補を選択することである。
【００６６】
前述の実施形態のうちの任意のものにおいて教示した方法と共に、本実施形態を使用することができる。
【００６７】
実施形態７：
他の実施形態において、ＰＵＣＣＨリソースについて選択されるリソース候補は、直近のスロット内にスケジューリングされたＰＤＣＣＨ、直近にスケジューリングされたＰＤＣＣＨ、又はスケジューリングされた全てのＰＤＣＣＨに基づく。
【００６８】
例えば、前述の実施形態のいずれか１つを用いてＰＵＣＣＨリソースを指すＰＤＣＣＨをＵＥが受信し、当該ＵＥがより遅い時点でＰＤＣＣＨを受信する場合、このスケジューリングされた直近のＰＤＣＣＨは、前回受信したＰＤＣＣＨに係るＰＵＣＣＨリソース割り当てをオーバライドすることができ、直近の受信分であるＰＤＣＣＨに基づいて決定されるＰＵＣＣＨリソースを用いて、前の及び直近のＰＤＣＣＨに対応するＰＤＳＣＨの双方についてＨＡＲＱフィードバックを送信することができる。言い換えると、ＵＥは、第１のＰＤＳＣＨ送信をスケジューリングする第１のＰＤＣＣＨ、及び第２のＰＤＳＣＨ送信をスケジューリングする第２のＰＤＣＣＨを受信する。第２のＰＤＣＣＨは、第１のＰＤＣＣＨよりも後に受信される。第１及び第２のＰＤＳＣＨ送信の双方についてのＨＡＲＱ  ＡＣＫフィードバックが同一のＰＵＣＣＨリソース内で提供されることになる場合、ＵＥは、直近のＰＤＣＣＨに基づいてＰＵＣＣＨリソースを決定し、それはこの例では第２のＰＤＣＣＨである。上述した実施形態のうちの任意のものを用いて、直近のＰＤＣＣＨに基づいてＰＵＣＣＨリソースを決定することができる。
【００６９】
同様に、ＰＵＣＣＨリソースは、直近のスロット内の全てのＰＤＣＣＨに、又はスケジューリングされていて未処理の全てのＰＤＣＣＨに基づくことができる。
【００７０】
本実施形態の一部として、ＰＵＣＣＨリソースの決定のために上記方法のうちのどれを使用すべきであるかを指し示すフィールドが、ＤＣＩメッセージに含められる。
【００７１】
前述の実施形態のうちの任意のものにおいて教示した方法と共に、本実施形態を使用することができる。
【００７２】
実施形態８：
本実施形態では、ＰＵＣＣＨリソースの共通的なプールを共有する異なる複数のＵＥが、ＰＤＣＣＨ及びＰＵＣＣＨの双方について、どの重複するリソースも異なるＵＥにとって同一のインデックスを有するように一貫性のある手法で、ＣＯＲＥＳＥＴ及びＰＤＣＣＨメッセージ用のインデックス付けの仕組み、並びにＰＵＣＣＨリソースと共に構成される。一例として、２つのＵＥが各々２つのＣＯＲＥＳＥＴを有し、それら２つのＵＥの第１のＣＯＲＥＳＥＴが同一の物理リソースを用い、但しそれら２つのＵＥの第２のＣＯＲＥＳＥＴは異なるリソースを用いるものとする。２つのＵＥについての第１のＣＯＲＥＳＥＴは、｛０，１，…，Ｘ−１｝からインデックス付けされるＸ個のＣＣＥを有し得る。第１のＵＥの第２のＣＯＲＥＳＥＴは、｛Ｘ，Ｘ＋１，…，Ｘ＋Ｙ−１｝としてインデックス付けされるＹ個のＣＣＥを有してよく、一方で第２のＵＥの第２のＣＯＲＥＳＥＴは、｛Ｙ，Ｙ＋１，…，Ｘ＋Ｙ＋Ｚ−１｝としてインデックス付けされるＺ個のＣＣＥを有してよい。よって、ＣＯＲＥＳＥＴ構成が同一でないとしても、異なる複数のＵＥ向けのＰＵＣＣＨリソースを、それらＵＥが異なるＣＣＥインデックスで開始するＰＤＣＣＨを受信したのである限り、ＰＵＣＣＨリソースについての２つのＵＥの間のいかなる衝突も回避されるようにインデックス付けされたＣＣＥへマッピングすることができる。
【００７３】
本実施形態の一部として、したがって、ＣＯＲＥＳＥＴ構成は、各ＣＯＲＥＳＥＴ内のＣＣＥについてＵＥにより使用されるべき開始ＣＣＥインデックスを含む。
【００７４】
前述の実施形態のうちの任意のものにおいて教示した方法と共に、本実施形態を使用することができる。
【００７５】
上述した実施形態のうちのあるものは、その方式に依存して、複数のスロットマッピングを用いてもよく、又は単一のスロットマッピングを用いてもよい。一例として、例示的な実施形態１の方式に関し、複数のスロットについてのＰＤＳＣＨ割り当てが同一のスロット内のＰＵＣＣＨリソースにおいて確認応答される場合、ＰＤＣＣＨは一貫した手法でインデックス付けされるべきである。他の例として、例示的な実施形態２における特殊ケース（ＣＯＲＥＳＥＴ又はスロットベースのＰＵＣＣＨリソースの区分け）を純粋にスロットごとに物事を行うように使用することができる。
【００７６】
ここで説明した主題は任意の適したコンポーネントを用いる任意の適切なタイプのシステムにおいて実装されてよいものの、ここで開示した実施形態は、図１に示した例示的なワイヤレスネットワークなどのワイヤレスネットワークとの関連で説明される。簡明さのために、図１のワイヤレスネットワークでは、ネットワーク１０６、ネットワークノード１６０及び１６０ｂ、並びにワイヤレスデバイス（ＷＤ）１１０、１１０ｂ及び１１０ｃのみが描かれている。実際には、ワイヤレスネットワークは、固定電話、サービスプロバイダ又は何らかの他のネットワークノード若しくはエンドデバイスといった、ワイヤレスデバイス間の又はワイヤレスデバイスと他の通信デバイスとの間の通信をサポートするために適した任意の追加的なエレメントをさらに含んでよい。図示したコンポーネントのうち、ネットワークノード１６０及びＷＤ１１０が追加的な詳細と共に描かれている。ワイヤレスネットワークは、当該ワイヤレスネットワークにより又は当該ワイヤレスネットワークを介して提供されるサービスに対するワイヤレスデバイスのアクセス及び／又はその使用を促進するために、１つ以上のワイヤレスデバイスへ通信及び他のタイプのサービスを提供し得る。
【００７７】
ワイヤレスネットワークは、任意のタイプの通信、電気通信、データ、セルラー、及び／若しくは無線ネットワーク若しくは他の類似するタイプのシステムを含んでよく、及び／又はそれらとインタフェースしてよい。いくつかの実施形態において、ワイヤレスネットワークは、特定の規格又は他のタイプの予め定義されるルール若しくは手続に従って動作するように構成され得る。よって、ワイヤレスネットワークの具体的な実施形態は、ＧＳＭ（Global  System  for  Mobile  Communications）、UMTS（Universal  Mobile  Telecommunications  System）、ＬＴＥ及び／若しくは他の適した第二、第三、第四若しくは第五世代（２Ｇ、３Ｇ、４Ｇ若しくは５Ｇ）規格、ＩＥＥＥ８０２．１１規格といったＷＬＡＮ（Wireless  Local  Area  Network）規格、並びに／又は、ＷｉＭａｘ（Worldwide  Interoperability  for  Microwave  Access）、Ｂｌｕｅｔｏｏｔｈ、Ｚ−Ｗａｖｅ及び／若しくはＺｉｇＢｅｅ規格といった任意の他の適切なワイヤレス通信規格などの通信規格を実装し得る。
【００７８】
ネットワーク１０６は、デバイス間の通信を可能にする、１つ以上のバックホールネットワーク、コアネットワーク、ＩＰ（Internet  Protocol）ネットワーク、ＰＳＴＮ（Public  Switched  Telephone  Networks）、パケットデータネットワーク、光ネットワーク、ＷＡＮ（Wide  Area  Networks）、ＬＡＮ（Local  Area  Networks）、ＷＬＡＮ、有線ネットワーク、ワイヤレスネットワーク、メトロポリタンエリアネットワーク、及び他のネットワークを含んでよい。
【００７９】
ネットワークノード１６０及びＷＤ１１０は、以下により詳細に説明される多様なコンポーネントを含む。それらコンポーネントは、ワイヤレスネットワークにおける無線接続の提供など、ネットワークノード及び／又はワイヤレスデバイスの機能性を提供するために連携して作動する。様々な実施形態において、ワイヤレスネットワークは、いかなる数の有線若しくは無線ネットワーク、ネットワークノード、基地局、コントローラ、ワイヤレスデバイス、中継局、並びに／又は、有線接続か無線接続かに関わらずデータ及び／若しくは信号の通信を促進し若しくは当該通信に参加し得る任意の他のコンポーネント若しくはシステムを含んでもよい。
【００８０】
ここで使用されるところでは、ネットワークノードは、ワイヤレスデバイス及び／若しくは他のネットワークノードと直接的に若しくは間接的に通信することが可能であり、そのように構成され、配置され及び／若しくは動作可能な機器、又は、ワイヤレスデバイスについてワイヤレスアクセスを可能にし及び／若しくは提供し、及び／若しくはワイヤレスネットワークにおける他の機能（例えば、管理）を実行するためのワイヤレスネットワーク内の機器をいう。ネットワークノードの例は、限定ではないものの、アクセスポイント（ＡＰ）（例えば、無線アクセスポイント）や基地局（ＢＳ）（例えば、無線基地局、ノードＢ、進化型ノードＢ（ｅＮＢ）、及びＮＲノードＢ（ｇＮＢ））を含む。基地局は、それらが提供するカバレッジの量（あるいは別の言い方をすると、それらの送信電力レベル）に基づいてカテゴリ分けされてよく、その場合、フェムト基地局、ピコ基地局、マイクロ基地局又はマクロ基地局としても言及され得る。基地局は、中継ノード又は中継機を制御する中継ドナーノードであってもよい。ネットワークノードは、集中型デジタルユニット、及び／又はリモート無線ヘッド（ＲＲＨ）ということもあるリモート無線ユニット（ＲＲＵ）といった、分散型の無線基地局の１つ以上の（又は全ての）部分を含んでもよい。そうしたＲＲＵは、アンテナ統合型無線機のようにアンテナと統合されてもよく又は統合されなくてもよい。分散型無線基地局の一部は、分散アンテナシステム（ＤＡＳ）内のノードとして言及されてもよい。また別のネットワークノードの例は、ＭＳＲ  ＢＳといったマルチ標準無線（ＭＳＲ）機器、無線ネットワークコントローラ（ＲＮＣ）若しくは基地局コントローラ（ＢＳＣ）といったネットワークコントローラ、基地送受信局（ＢＴＳ）、送信ポイント、送信ノード、マルチセル／マルチキャスト協調エンティティ（ＭＣＥ）、コアネットワークノード（例えば、モバイルスイッチングセンタ（ＭＳＣ）、モビリティ管理エンティティ（ＭＭＥ））、オペレーション及びメンテナンス（Ｏ＆Ｍ）ノード、オペレーションサポートシステム（ＯＳＳ）ノード、自己最適化ネットワーク（ＳＯＮ）ノード、測位ノード（例えば、進化型サービング・モバイル・ロケーション・センタ（Ｅ−ＳＭＬＣ）及び／又はドライブテスト最小化（ＭＤＴ）を含む。他の例として、ネットワークノードは、以下でより詳細に説明するような仮想ネットワークノードであってもよい。しかしながら、より広く言うと、ネットワークノードは、ワイヤレスネットワークへのアクセスをワイヤレスデバイスに可能にし及び／若しくは提供し、又は、ワイヤレスネットワークへアクセスしたワイヤレスデバイスへ何らかのサービスを提供することが可能であり、そのように構成され、配置され及び／若しくは動作可能ないかなる適したデバイス（又はデバイスの集合）を表していてもよい。
【００８１】
図１において、ネットワークノード１６０は、処理回路１７０、デバイス読取可能な媒体１８０、インタフェース１９０、補助的機器１８４、電源１８６、電力回路１８７及びアンテナ１６２を含む。図１の例示的なワイヤレスネットワークに示したネットワークノード１６０は、ハードウェアコンポーネントの図示した組み合わせを含むデバイスを表し得るものの、他の実施形態は、コンポーネントの異なる組み合わせを伴うネットワークノードを含んでもよい。理解されるべきこととして、ネットワークノードは、ここで開示されるタスク、特徴、機能及び方法を実行するために必要とされるハードウェア並びに／又はソフトウェアの任意の適した組み合わせを含む。そのうえ、ネットワークノード１６０のコンポーネントはより大きいボックス内に位置する単一のボックスとして描かれており、又は複数のボックス内で入れ子となっているが、実際には、ネットワークノードは、図示した単一のコンポーネントを作り上げる複数の異なる物理コンポーネントを含んでよい（例えば、デバイス読取可能な媒体１８０は、複数の別個のハードドライブと共に、複数のランダムアクセスメモリ（ＲＡＭ）モジュールを含んでもよい）。
【００８２】
同様に、ネットワークノード１６０は、自身のそれぞれのコンポーネントを各々が有し得る、複数の物理的に別個のコンポーネント（例えば、ノードＢコンポーネント及びＲＮＣコンポーネント、又は、ＢＴＳコンポーネント及びＢＳＣコンポーネントなど）から構成されてもよい。ネットワークノード１６０が複数の別個のコンポーネント（例えば、ＢＴＳ及びＢＳＣコンポーネント）を備えるあるシナリオにおいて、それら別個のコンポーネントの１つ以上がいくつかのネットワークノードの間で共有されてもよい。例えば、単一のＲＮＣが複数のノードＢを制御してもよい。そうしたシナリオでは、ノードＢ及びＲＮＣの一意な各ペアが、いくつかの例において、単一の別個のネットワークノードとみなされてもよい。いくつかの実施形態において、ネットワークノード１６０は、複数の無線アクセス技術（ＲＡＴ）をサポートするように構成されてもよい。そうした実施形態において、いくつかのコンポーネントが冗長化されてもよく（例えば、異なるＲＡＴ向けの別個のデバイス読取可能な媒体１８０）、いくつかのコンポーネントが再利用されてもよい（例えば、同一のアンテナ１６２がそれらＲＡＴにより共有されてもよい）。ネットワークノード１６０は、例えばＧＳＭ、広帯域符号分割多元接続（ＷＣＤＭＡ）、ＬＴＥ、ＮＲ、ＷｉＦｉ又はＢｌｕｅｔｏｏｔｈなどのワイヤレス技術といった、ネットワークノード１６０へ統合される様々なワイヤレス技術のための多様な例示したコンポーネントの複数のセットを含んでもよい。それらワイヤレス技術は、ネットワークノード１６０内の同一の若しくは異なるチップ又はチップのセット及び他のコンポーネントへ統合されてよい。
【００８３】
処理回路１７０は、ネットワークノードにより提供されるものとしてここで説明した何らかの決定、計算又は類似の動作（例えば、ある取得動作）を実行するように構成される。処理回路１７０により実行されるこれら動作は、例えば、取得される情報を他の情報へ変換すること、取得される情報若しくは変換後の情報をネットワークノードにおいて記憶されている情報と比較すること、及び／又は取得される情報若しくは変換後の情報に基づいて１つ以上の動作を実行すること、並びにその処理の結果として決定を下すことにより、処理回路１７０により取得される情報を処理することを含んでよい。
【００８４】
処理回路１７０は、単独で若しくはデバイス読取可能な媒体１８０といった他のネットワークノード１６０のコンポーネントと連携してネットワークノード１６０の機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ又は他の適したコンピューティングデバイス、リソース若しくはハードウェア、ソフトウェア及び／若しくは符号化ロジックの組み合わせ、のうちの１つ以上の組み合わせを含んでよい。例えば、処理回路１７０は、デバイス読取可能な媒体１８０において又は処理回路１７０内のメモリにおいて記憶されている命令を実行し得る。そうした機能性は、ここで議論される多様なワイヤレスの特徴、機能又は恩恵のいずれかを提供することを含み得る。いくつかの実施形態において、処理回路１７０は、システムオンチップ（ＳＯＣ）を含んでもよい。
【００８５】
いくつかの実施形態において、処理回路１７０は、無線周波数（ＲＦ）送受信機回路１７２及びベースバンド処理回路１７４のうちの１つ以上を含んでもよい。いくつかの実施形態においてＲＦ送受信機回路１７２及びベースバンド処理回路１７４は、無線ユニット及びデジタルユニットのように、別個のチップ（若しくはチップのセット）、基盤又はユニット上にあってもよい。代替的な実施形態において、ＲＦ送受信機回路１７２及びベースバンド処理回路１７４の一部又は全てが同一のチップ若しくはチップのセット、基盤又はユニット上にあってもよい。
【００８６】
ある実施形態において、ネットワークノード、基地局、ｅＮＢ若しくは他のそうしたネットワークデバイスにより提供されるものとしてここで説明した機能性のいくつ又は全ては、デバイス読取可能な媒体１８０又は処理回路１７０内のメモリに記憶される命令を処理回路１７０が実行することにより行われてもよい。代替的な実施形態において、その機能性のいくつか又は全ては、別個の又は離散的なデバイス読取可能な媒体に記憶される命令を実行することなく、ハードワイヤ方式などで処理回路１７０により提供されてもよい。それら実施形態のいずれにおいても、デバイス読取可能な記憶媒体に記憶される命令を実行するか否かに関わらず、説明される機能性を実行するように処理回路１７０を構成することができる。そうした機能性により提供される恩恵は、処理回路１７０だけ又はネットワークノード１６０の他のコンポーネントに限定されることなく、全体としてネットワークノード１６０により、並びに／又はエンドユーザ及びワイヤレスネットワーク全般により享受される。
【００８７】
デバイス読取可能な媒体１８０は、限定ではないものの、処理回路１７０により使用され得る情報、データ及び／若しくは命令を記憶する、永続的なストレージ、ソリッドステートメモリ、遠隔搭載型のメモリ、磁気媒体、光媒体、ＲＡＭ、読み取り専用メモリ（ＲＯＭ）、大規模記憶媒体（例えば、ハードディスク）、取外し可能記憶媒体（例えば、フラッシュドライブ、コンパクトディスク（ＣＤ）若しくはデジタルビデオディスク（ＤＶＤ））、並びに／又は、他の任意の揮発性の若しくは不揮発性の非一時的なデバイス読取可能な及び／若しくはコンピュータ実行可能なメモリデバイスを含む、いかなる形式の揮発性の又は不揮発性のコンピュータ読取可能なメモリを含んでもよい。デバイス読取可能な媒体１８０は、処理回路１７０により実行可能であってネットワークノード１６０により利用可能な、コンピュータプログラム、ソフトウェア、ロジック、ルール、コード、テーブルなどのうちの１つ以上を含むアプリケーション、及び／又は他の命令を含む任意の適した命令、データ又は情報を記憶し得る。デバイス読取可能な媒体１８０は、処理回路１７０により生み出される任意の計算結果、及び／又はインタフェース１９０を介して受信される任意のデータを記憶するために使用されてもよい。いくつかの実施形態において、処理回路１７０及びデバイス読取可能な媒体１８０は、統合されるものとみなされてもよい。
【００８８】
インタフェース１９０は、ネットワークノード１６０、ネットワーク１０６及び／又はＷＤ１１０の間での、シグナリング及び／又はデータの有線若しくは無線通信において使用される。図示したように、インタフェース１９０は、例えば、有線接続上でネットワーク１０６との間でデータを送受信するためのポート／端子１９４を含む。インタフェース１９０は、アンテナ１６２へ連結され又はある実施形態ではアンテナ１６２の一部であり得る無線フロントエンド回路１９２をも含む。無線フロントエンド回路１９２は、フィルタ１９８及び増幅器１９６を含む。無線フロントエンド回路１９２は、アンテナ１６２及び処理回路１７０へ接続され得る。無線フロントエンド回路は、アンテナ１６２及び処理回路１７０の間で通信される信号を調整するように構成されてもよい。無線フロントエンド回路１９２は、無線接続を介して他のネットワークノード又はＷＤへ送出されるべきデジタルデータを受け付け得る。無線フロントエンド回路１９２は、そのデジタルデータを、フィルタ１９８及び／又は増幅器１９６の組み合わせを用いて、適切なチャネル及び帯域幅パラメータを有する無線信号へ変換し得る。そして、無線信号は、アンテナ１６２を介して送信され得る。同様に、データが受信される場合、アンテナ１６２が無線信号を収集し、次いで無線信号は無線フロントエンド回路１９２によりデジタルデータへ変換され得る。デジタルデータは、処理回路１７０へ受け渡され得る。他の実施形態において、上記インタフェースは、異なるコンポーネント及び／又はコンポーネントの異なる組み合わせを含んでもよい。
【００８９】
ある代替的な実施形態において、ネットワークノード１６０は、別個の無線フロントエンド回路１９２を含まなくてもよく、その代わりに、処理回路１７０が、無線フロントエンド回路を含んでもよく、別個の無線フロントエンド回路１９２無しでアンテナ１６２へ接続されてもよい。同様に、いくつかの実施形態において、ＲＦ送受信機回路１７２の全て又はいくつかがインタフェース１９０の一部であるとみなされてもよい。また別の実施形態において、インタフェース１９０は、無線ユニット（図示せず）の一部として、１つ以上のポート若しくは端子１９４、無線フロントエンド回路１９２及びＲＦ送受信機回路１７２を含んでもよく、インタフェース１９０はデジタルユニット（図示せず）の一部であるベースバンド処理回路１７４と通信してもよい。
【００９０】
アンテナ１６２は、ワイヤレス信号を送信し及び／又は受信するように構成される、１つ以上のアンテナ若しくはアンテナアレイを含んでもよい。アンテナ１６２は、無線フロントエンド回路１９０へ連結されてもよく、データ及び／又は信号をワイヤレスに送信し及び受信することの可能ないかなるタイプのアンテナであってもよい。いくつかの実施形態において、アンテナ１６２は、例えば２ギガヘルツ（ＧＨｚ）と６６ＧＨｚとの間の無線信号を送受信するように動作可能な、１つ以上の全方向アンテナ、セクタアンテナ又はパネルアンテナを含んでもよい。全方向アンテナは、任意の方向の無線信号を送受信するために使用されてよく、セクタアンテナは、具体的なエリア内のデバイスから無線信号を送受信するために使用されてよく、パネルアンテナは、相対的に直線状の無線信号を送受信するために使用される見通し線アンテナであってよい。いくつかの例において、１つよりも多くのアンテナの使用は、複数入力複数出力（ＭＩＭＯ）として言及されてもよい。ある実施形態において、アンテナ１６２は、ネットワークノード１６０とは別個であってもよく、インタフェース又はポートを通じてネットワークノード１６０へ接続可能であってもよい。
【００９１】
アンテナ１６２、インタフェース１９０及び／又は処理回路１７０は、ネットワークノードにより実行されるものとしてここで説明される何らかの受信動作及び／又はある取得動作を実行するように構成され得る。どのような情報、データ及び／又は信号が、ワイヤレスデバイス、他のネットワークノード及び／又は任意の他のネットワーク機器から受信されてもよい。同様に、アンテナ１６２、インタフェース１９０及び／又は処理回路１７０は、ネットワークノードにより実行されるものとしてここで説明される何らかの送信動作を実行するように構成され得る。どのような情報、データ及び／又は信号が、ワイヤレスデバイス、他のネットワークノード及び／又は任意の他のネットワーク機器へ送信されてもよい。
【００９２】
電力回路１８７は、電力管理回路を含んでもよく又は電力管理回路へ連結されてもよく、ここで説明される機能性を実行するための電力をネットワークノード１６０のコンポーネントへ供給するように構成される。電力回路１８７は、電源１８６から電力を受給してよい。電源１８６及び／又は電力回路１８７は、それぞれのコンポーネントに適した形式で（例えば、各コンポーネントそれぞれにとって必要とされる電圧及び電流のレベルで）、ネットワークノード１６０の多様なコンポーネントへ電力を提供するように構成され得る。電源１８６は、電力回路１８７及び／若しくはネットワークノード１６０に含まれるか又は外部にあるかのいずれかであり得る。例えば、ネットワークノード１６０は、電気ケーブルといった入力回路若しくはインタフェースを介して外部の電源（例えば、電気コンセント）へ接続可能であってもよく、それにより外部の電源が電力回路１８７へ電力を供給する。さらなる例として、電源１８６は、電力回路１８７へ接続され若しくは電力回路１８７へ統合されるバッテリ又はバッテリパックの形式の電力のソースを含んでもよい。バッテリは、外部の電源の障害に備えてバックアップ電力を提供してもよい。太陽光発電デバイスといった他のタイプの電源もまた使用されてよい。
【００９３】
ネットワークノード１６０の代替的な実施形態は、ここで説明される機能性のいずれか及び／又はここで説明される主題をサポートするために必要な何らかの機能性を含む当該ネットワークノードの機能性のある観点を提供することに責任を有し得る、図１に示したもの以外の追加的なコンポーネントを含んでもよい。例えば、ネットワークノード１６０は、ネットワークノード１６０への情報の入力を可能にし、及びネットワークノード１６０からの情報の出力を可能にするユーザインタフェース機器を含んでもよい。これにより、ユーザがネットワークノード１６０について診断、メンテナンス、修理及び他の管理機能を実行することが可能となり得る。
【００９４】
ここで使用されるところでは、ＷＤは、ネットワークノード及び／若しくは他のワイヤレスデバイスとワイヤレスに通信することが可能であり、そのように構成され、配置され並びに／又は動作可能なデバイスをいう。別段注記されない限り、ＷＤとの用語は、ここではＵＥと互換可能に使用され得る。ワイヤレスに通信することは、電磁波、無線波、赤外線波、及び／若しくは空中を通じて情報を運ぶために適した他のタイプの信号を用いてワイヤレス信号を送信し並びに／又は受信することを包含し得る。いくつかの実施形態において、ＷＤは、直接的なヒューマンインタラクション無しで情報を送信し及び／又は受信するように構成されてもよい。例えば、ＷＤは、予め決定されるスケジュールで、内部の若しくは外部のイベントによりトリガされた場合に、又は、ネットワークからの要求に応じて、ネットワークへ情報を送信するように設計されてもよい。ＷＤの例は、限定ではないものの、スマートフォン、モバイルフォン、セルフォン、ＶｏＩＰ（Voice  over  IP）フォン、ワイヤレスローカルループフォン、デスクトップコンピュータ、パーソナル・デジタル・アシスタント（ＰＤＡ）、ワイヤレスカメラ、ゲームコンソール若しくはデバイス、音楽記憶デバイス、再生用電化製品、ウェアラブル端末デバイス、ワイヤレスエンドポイント、移動局、タブレット、ラップトップ、ラップトップ組込み機器（ＬＥＥ）、ラップトップ搭載型機器（ＬＭＥ）、スマートデバイス、ワイヤレス顧客構内機器（ＣＰＥ）、車両搭載型ワイヤレス端末デバイスなどを含む。ＷＤは、例えば、サイドリンク通信、車両対車両（Ｖ２Ｖ）、車両対インフラストラクチャ（Ｖ２Ｉ）又は車両対エブリシング（Ｖ２Ｅ）のために第三世代パートナーシッププロジェクト（３ＧＰＰ）規格を実行することにより、デバイスツーデバイス（Ｄ２Ｄ）通信をサポートしてもよく、このケースにおいてＤ２Ｄ通信デバイスとして言及されてもよい。また別の固有の例として、モノのインターネット（ＩｏＴ）のシナリオでは、ＷＤは、監視及び／若しくは測定を実行し、並びに他のＷＤ及び／若しくはネットワークノードへそうした監視及び／若しくは測定の結果を送信する、マシン又は他のデバイスを表してもよい。ＷＤは、このケースにおいて、マシンツーマシン（Ｍ２Ｍ）デバイスであってもよく、３ＧＰＰの文脈ではマシンタイプ通信（ＭＴＣ）デバイスとして言及されてもよい。１つの具体的な例として、ＷＤは、３ＧＰＰ狭帯域ＩｏＴ（ＮＢ−ＩｏＴ）規格を実装するＵＥであってもよい。そうしたマシン又はデバイスの具体的な例は、センサ、パワーメータなどのメータデバイス、産業機械、家庭用若しくは個人用の電化製品（例えば、冷蔵庫、テレビなど）、又は、個人用のウェアラブル機器（例えば、時計、フィットネス追跡機など）である。他のシナリオにおいて、ＷＤは、その動作ステータス若しくはその動作に関連付けられる他の機能について監視し及び／若しくは報告することの可能な車両又は他の機器を表してもよい。上述したようなＷＤは、無線接続のエンドポイントを表してもよく、そのケースにおいて、当該デバイスはワイヤレス端末として言及されてもよい。さらに、上述したようなＷＤは、移動機（mobile）であってもよく、そのケースにおいて、移動デバイス又は移動端末として言及されてもよい。
【００９５】
図示したように、ワイヤレスデバイス１１０は、アンテナ１１１、インタフェース１１４、処理回路１２０、デバイス読取可能な媒体１３０、ユーザインタフェース機器１３２、補助的機器１３４、電源１３６及び電力回路１３７を含む。ＷＤ１１０は、若干数を挙げるだけでも、例えばＧＳＭ、ＷＣＤＭＡ、ＬＴＥ、ＮＲ、ＷｉＦｉ、ＷｉＭＡＸ又はＢｌｕｅｔｏｏｔｈワイヤレス技術といった、ＷＤ１１０によりサポートされる様々なワイヤレス技術のための図示したコンポーネントの１つ以上の複数のセットを含んでもよい。それらワイヤレス技術は、ＷＤ１１０内の同一の若しくは異なるチップ又は他のコンポーネントとしてのチップのセットへ統合されてもよい。
【００９６】
アンテナ１１１は、ワイヤレス信号を送信し及び／又は受信するように構成される、１つ以上のアンテナ若しくはアンテナアレイを含んでもよく、インタフェース１１４へ接続される。ある代替的な実施形態において、アンテナ１１１は、ＷＤ１１０とは別個であってもよく、インタフェース又はポートを通じてＷＤ１１０へ接続可能であってもよい。アンテナ１１１、インタフェース１１４及び／又は処理回路１２０は、ＷＤにより実行されるものとしてここで説明される何らかの受信動作又は送信動作を実行するように構成され得る。どのような情報、データ及び／又は信号が、ネットワークノード及び／又は他のＷＤから受信されてもよい。いくつかの実施形態において、無線フロントエンド回路及び／又はアンテナ１１１は、インタフェースであるとみなされてもよい。
【００９７】
図示したように、インタフェース１１４は、無線フロントエンド回路１１２及びアンテナ１１１を含む。無線フロントエンド回路１１２は、１つ以上のフィルタ１１８及び増幅器１１６を含む。無線フロントエンド回路１１４は、アンテナ１１１及び処理回路１２０へ接続され、アンテナ１１１及び処理回路１２０の間で通信される信号を調整するように構成される。無線フロントエンド回路１１２は、アンテナ１１１へ連結されてもよく、又はアンテナ１１１の一部であってもよい。いくつかの実施形態において、ＷＤ１１０は、別個の無線フロントエンド回路１１２を含まなくてもよく、むしろ、処理回路１２０が、無線フロントエンド回路を含んでもよく、アンテナ１１１へ接続されてもよい。同様に、いくつかの実施形態において、ＲＦ送受信機回路１２２のいくつか又は全てがインタフェース１１４の一部であるとみなされてもよい。無線フロントエンド回路１１２は、無線接続を介して他のネットワークノード又はＷＤへ送出されるべきデジタルデータを受け付け得る。無線フロントエンド回路１１２は、そのデジタルデータを、フィルタ１１８及び／又は増幅器１１６の組み合わせを用いて、適切なチャネル及び帯域幅パラメータを有する無線信号へ変換し得る。そして、無線信号は、アンテナ１１１を介して送信され得る。同様に、データが受信される場合、アンテナ１１１が無線信号を収集し、次いで無線信号は無線フロントエンド回路１１２によりデジタルデータへ変換され得る。デジタルデータは、処理回路１２０へ受け渡され得る。他の実施形態において、上記インタフェースは、異なるコンポーネント及び／又はコンポーネントの異なる組み合わせを含んでもよい。
【００９８】
処理回路１２０は、単独で若しくはデバイス読取可能な媒体１３０といった他のＷＤ１１０のコンポーネントと連携してＷＤ１１０の機能性を提供するように動作可能な、マイクロプロセッサ、コントローラ、マイクロコントローラ、中央処理ユニット（ＣＰＵ）、デジタル信号プロセッサ（ＤＳＰ）、特定用途向け集積回路（ＡＳＩＣ）、フィールドプログラマブルゲートアレイ（ＦＰＧＡ）又は他の適したコンピューティングデバイス、リソース若しくはハードウェア、ソフトウェア及び／若しくは符号化ロジックの組み合わせ、のうちの１つ以上の組み合わせを含んでよい。そうした機能性は、ここで議論される多様なワイヤレスの特徴又は恩恵のいずれかを提供することを含み得る。例えば、処理回路１２０は、デバイス読取可能な媒体１３０において又は処理回路１２０内のメモリにおいて記憶されている命令を実行して、ここで開示される機能性を提供し得る。
【００９９】
図示したように、処理回路１２０は、ＲＦ送受信機回路１２２、ベースバンド処理回路１２４及びアプリケーション処理回路１２６のうちの１つ以上を含む。他の実施形態において、上記処理回路は、異なるコンポーネント及び／又はコンポーネントの異なる組み合わせを含んでもよい。ある実施形態において、ＷＤ１１０の処理回路１２０は、ＳＯＣを含んでもよい。いくつかの実施形態において、ＲＦ送受信機回路１２２、ベースバンド処理回路１２４及びアプリケーション処理回路１２６は、別個のチップ又はチップのセット上にあってもよい。代替的な実施形態において、ベースバンド処理回路１２４及びアプリケーション処理回路１２６の一部又は全部は、１つのチップ又はチップのセットへ組み合わせられてもよく、ＲＦ送受信機回路１２２が別個のチップ又はチップのセット上にあってもよい。さらなる代替的な実施形態において、ＲＦ送受信機回路１２２及びベースバンド処理回路１２４の一部又は全てが同一のチップ若しくはチップのセット上にあってもよく、アプリケーション処理回路１２６が別個のチップ又はチップのセット上にあってもよい。また別の代替的な実施形態において、ＲＦ送受信機回路１２２、ベースバンド処理回路１２４及びアプリケーション処理回路１２６の一部又は全てが同一のチップ又はチップのセットにおいて組み合わせられてもよい。いくつかの実施形態において、ＲＦ送受信機回路１２２は、インタフェース１１４の一部であってもよい。ＲＦ送受信機回路１２２は、処理回路１２０向けにＲＦ信号を調整してもよい。
【０１００】
ある実施形態において、ＷＤにより実行されるものとしてここで説明した機能性のいくつか又は全ては、処理回路１２０がある実施形態ではコンピュータ読取可能な記憶媒体であり得るデバイス読取可能な媒体１３０に記憶される命令を実行することにより提供されてもよい。代替的な実施形態において、その機能性のいくつか又は全ては、別個の又は離散的なデバイス読取可能な記憶媒体に記憶される命令を実行することなく、ハードワイヤ方式などで処理回路１２０により提供されてもよい。それら具体的な実施形態のいずれにおいても、デバイス読取可能な記憶媒体に記憶される命令を実行するか否かに関わらず、説明される機能性を実行するように処理回路１２０を構成することができる。そうした機能性により提供される恩恵は、処理回路１２０だけ又はＷＤ１１０の他のコンポーネントに限定されることなく、全体としてＷＤ１１０により、並びに／又はエンドユーザ及びワイヤレスネットワーク全般により享受される。
【０１０１】
処理回路１２０は、ＷＤにより実行されるものとしてここで説明される何らかの決定、計算又は類似の動作（例えば、ある取得動作）を実行するように構成され得る。処理回路１２０により実行されるようなこれら動作は、例えば、取得される情報を他の情報へ変換すること、取得される情報若しくは変換後の情報をＷＤ１１０において記憶されている情報と比較すること、及び／又は取得される情報若しくは変換後の情報に基づいて１つ以上の動作を実行すること、並びにその処理の結果として決定を下すことにより、処理回路１２０により取得される情報を処理することを含んでよい。
【０１０２】
デバイス読取可能な媒体１３０は、処理回路１２０により実行可能な、コンピュータプログラム、ソフトウェア、ロジック、ルール、コード、テーブルなどのうちの１つ以上を含むアプリケーション、及び／又は他の命令を記憶するように動作可能であり得る。デバイス読取可能な媒体１３０は、処理回路１２０により使用され得る情報、データ及び／若しくは命令を記憶する、コンピュータメモリ（例えば、ＲＡＭ若しくはＲＯＭ）、大規模記憶媒体（例えば、ハードディスク）、取外し可能な媒体（例えば、ＣＤ若しくはＤＶＤ）、並びに／又は、他の任意の揮発性の若しくは不揮発性の非一時的なデバイス読取可能な及び／若しくはコンピュータ実行可能なメモリデバイスを含んでよい。いくつかの実施形態において、処理回路１２０及びデバイス読取可能な媒体１３０は、統合されるものとみなされてもよい。
【０１０３】
ユーザインタフェース機器１３２は、人間のユーザがＷＤ１１０とインタラクションすることを可能にするコンポーネントを提供し得る。そうしたインタラクションは、視覚的、聴覚的、触覚的などといった多くの形式のものであってよい。ユーザインタフェース機器１３２は、ユーザへの出力を生成し、及びＷＤ１１０への入力をユーザが提供することを可能にするように動作可能であり得る。インタラクションのタイプは、ＷＤ１１０に取り付けられるユーザインタフェース機器１３２のタイプに依存して変化し得る。例えば、ＷＤ１１０がスマートフォンである場合、インタラクションはタッチ画面を介するものであってよく、ＷＤ１１０がスマートメータである場合、インタラクションは使用量（例えば、使用されたガロンの数値）を提供する画面を通じたもの、又は警報音（例えば、煙が検出された場合）を提供するスピーカであってもよい。ユーザインタフェース機器１３２は、入力インタフェース、デバイス及び回路、並びに出力インタフェース、デバイス及び回路を含んでもよい。ユーザインタフェース機器１３２は、ＷＤ１１０への情報の入力を可能にするように構成され、処理回路１２０へ接続されて処理回路１２０が入力情報を処理することを可能にする。ユーザインタフェース機器１３２は、例えば、マイクロフォン、近接若しくは他のセンサ、キー／ボタン、タッチディスプレイ、１つ以上のカメラ、ＵＳＢ（Universal  Serial  Bus）ポート又は他の入力回路を含んでよい。ユーザインタフェース機器１３２は、ＷＤ１１０からの情報の出力を可能にするように、及び処理回路１２０がＷＤ１１０から情報を出力することを可能にするようにも構成される。ユーザインタフェース機器１３２は、例えば、スピーカ、ディスプレイ、振動回路、ＵＳＢポート、ヘッドフォンインタフェース、又は他の出力回路を含んでよい。ユーザインタフェース機器１３２の１つ以上の入出力インタフェース、デバイス及び回路を用いて、ＷＤ１１０は、エンドユーザ及び／又はワイヤレスネットワークと通信し、並びにそれらがここで説明される機能性から恩恵を受けることを可能にし得る。
【０１０４】
補助的機器１３４は、ＷＤにより一般には行われないかもしれない、より固有の機能性を提供するように動作可能である。それは、多様な目的の測定を行うための特殊なセンサ、有線通信といった追加的なタイプの通信のためのインタフェースなどを含み得る。補助的機器１３４を含むこと、及びそのコンポーネントのタイプは、実施形態及び／又はシナリオに依存して変化してよい。
【０１０５】
電源１３６は、いくつかの実施形態において、バッテリ又はバッテリパックの形式であってよい。外部の電源（例えば、、電気コンセント）、太陽光発電デバイス又は電池といった他のタイプの電源もまた使用されてよい。ＷＤ１１０は、ここで説明され又は示される何らかの機能性を遂行するために電源１３６からの電力を必要とするＷＤ１１０の多様な部分へ電源１３６からの電力を伝達するための電力回路１３７をさらに含んでよい。電力回路１３７は、ある実施形態において、電力管理回路を含んでもよい。電力回路１３７は、追加的に又は代替的に、外部の電源から電力を受け付けるように動作可能であってもよく、その場合に、ＷＤ１１０は、電力ケーブルといった入力回路若しくはインタフェースを介して（電気コンセントといった）外部の電源へ接続可能であってもよい。電力回路１３７は、ある実施形態において、外部の電源から電源１３６へ電力を伝達するように動作可能であってもよい。これは、例えば、電源１３６の充電のためであり得る。電力回路１３７は、電力供給先であるＷＤ１１０のそれぞれのコンポーネントに電力を適したものとするために、電源１３６からの電力に対し何らかの整形、変換又は他の修正を行ってもよい。
【０１０６】
図２は、ここで説明される多様な観点に従ったＵＥの１つの実施形態を示している。ここで使用されるところでは、ユーザ機器あるいはＵＥは、関係するデバイスを所有し及び／又は操作する人間のユーザという意味でのユーザを必ずしも有していなくてもよい。その代わりに、ＵＥは、人間のユーザへの販売又は人間のユーザによる操作を意図されているが、少なくとも当初は特定の人間のユーザに関連付けられていないかもしれないデバイス（例えば、スマートスプリンクラーコントローラ）を表してもよい。代替的に、ＵＥは、エンドユーザへの販売又はエンドユーザによる操作を意図されず、ユーザの恩恵に関連付けられ又はユーザの恩恵のために運用され得るデバイス（例えば、スマートパワーメータ）を表してもよい。ＵＥ２００は、ＮＢ−ＩｏＴ  ＵＥ、ＭＴＣ  ＵＥ及び／又は拡張ＭＴＣ（ｅＭＴＣ）ＵＥを含む、３ＧＰＰにより識別される任意のＵＥであってもよい。図２に示した通りのＵＥ２００は、３ＧＰＰのＧＳＭ、ＵＭＴＳ、ＬＴＥ及び／又は５Ｇ規格といった、３ＧＰＰにより発布された１つ以上の通信規格に従った通信のために構成されるＷＤの１つの例である。前に言及したように、ＷＤ及びＵＥという用語は、互換可能に使用されてよい。したがって、図２ではＵＥであるものの、ここで議論されるコンポーネントはＷＤにも等しく適用可能であり、逆もまたしかりである。
【０１０７】
図２において、ＵＥ２００は、入出力インタフェース２０５へ動作可能に連結される処理回路２０１、ＲＦインタフェース２０９、ネットワーク接続インタフェース２１１、ＲＡＭ２１７とＲＯＭ２１９と記憶媒体２１１などを含むメモリ２１５、通信サブシステム２３１、電源２３３、及び／若しくは任意の他のコンポーネント、又はそれらの任意の組み合わせを含む。記憶媒体２２１は、オペレーティングシステム２２３、アプリケーションプログラム２２５及びデータ２２７を含む。他の実施形態において、記憶媒体２２１は、他の類似するタイプの情報を含んでもよい。あるＵＥは、図２に示したコンポーネントの全てを利用してもよく、又はそれらコンポーネントのサブセットのみを利用してもよい。コンポーネント間の統合のレベルは、あるＵＥと他のＵＥとで変化してよい。さらに、あるＵＥは、複数のプロセッサ、メモリ、送受信機、送信機、受信機などのように、コンポーネントの複数のインスタンスを含んでもよい。
【０１０８】
図２において、処理回路２０１は、コンピュータ命令及びデータを処理するように構成され得る。処理回路２０１は、１つ以上の（例えば、離散ロジック、ＦＰＧＡ、ＡＳＩＣなどでの）ハードウェア実装されるステートマシンといった、メモリ内のマシン読取可能なコンピュータプログラムとして記憶されているマシン命令を実行するように動作可能な任意のシーケンシャルステートマシン、適切なファームウェアを伴うプログラマブルロジック、１つ以上のストアドプログラム、適切なソフトウェアを伴うマイクロプロセッサ若しくはＤＳＰといった汎用プロセッサ、又は上記の任意の組み合わせを実装するように構成され得る。例えば、処理回路２０１は、２つのＣＰＵを含んでもよい。データは、コンピュータによる使用に適した形式の情報であってよい。
【０１０９】
図示した実施形態において、入出力インタフェース２０５は、入力デバイス、出力デバイス及び入出力デバイスに対する通信インタフェースを提供するように構成されてもよい。ＵＥ２００は、入出力インタフェース２０５を介して出力デバイスを使用するように構成されてもよい。出力デバイスは、入力デバイスと同じタイプのインタフェースポートを使用してもよい。例えば、ＵＥ２００への入力及びＵＥ２００からの出力を提供するためにＵＳＢポートが使用されてもよい。出力デバイスは、スピーカ、サウンドカード、ビデオカード、ディスプレイ、モニタ、プリンタ、アクチュエータ、エミッタ、スマートカード、他の出力デバイス、又はそれらの任意の組み合わせであってもよい。ＵＥ２００は、ユーザがＵＥ２００への情報を捕捉することを可能にするために入出力インタフェース２０５を介して入力デバイスを使用するように構成され得る。入力デバイスは、タッチ感応型の又はプレゼンス感応型のディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、及びスマートカードなどを含んでもよい。プレゼンス感応型のディスプレイは、ユーザからの入力を感知するための容量型又は抵抗型のタッチセンサを含んでもよい。センサは、例えば、加速度計、ジャイロスコープ、傾斜センサ、力センサ、磁力計、光センサ、近接センサ、他の類似のセンサ、又はそれらの任意の組み合わせであってもよい。例えば、入力デバイスは、加速度計、磁力計、デジタルカメラ、マイクロフォン及び光センサであってもよい。
【０１１０】
図２において、ＲＦインタフェース２０９は、送信機、受信機及びアンテナといったＲＦコンポーネントに対し通信インタフェースを提供するように構成され得る。ネットワーク接続インタフェース２１１は、ネットワーク２４３ａへ通信インタフェースを提供するように構成され得る。ネットワーク２４３ａは、ＬＡＮ、ＷＡＮ、コンピュータネットワーク、ワイヤレスネットワーク、電気通信ネットワーク、他の類似のネットワーク、又はそれらの任意の組み合わせといった、有線及び／又は無線のネットワークを包含し得る。例えば、ネットワーク２４３ａは、Ｗｉ−Ｆｉネットワークを含んでもよい。ネットワーク接続インタフェース２１１は、イーサネット、ＴＣＰ（Transmission  Control  Protocol）／ＩＰ、ＳＯＮＥＴ（Synchronous  Optical  Networking）若しくはＡＴＭ（Asynchronous  Transfer  Mode）などといった１つ以上の通信プロトコルに従って通信ネットワーク上で１つ以上の他のデバイスと通信するために使用される受信機及び送信機インタフェースを含むように構成され得る。ネットワーク接続インタフェース２１１は、通信ネットワークリンク（例えば、光及び電気など）にとって適切な受信機及び送信機の機能性を実装し得る。送信機及び受信機の機能は、回路コンポーネント、ソフトウェア若しくはファームウェアを共有してもよく、又は代替的に別個に実装されてもよい。
【０１１１】
ＲＡＭ２１７は、オペレーティングシステム、アプリケーションプログラム及びデバイスドライバといったソフトウェアプログラムの実行中のデータ又はコンピュータ命令の記憶及びキャッシュを提供するために、バス２０２を介して処理回路２０１へインタフェースするように構成され得る。ＲＯＭ２１９は、処理回路２０１へコンピュータ命令又はデータをを提供するように構成され得る。例えば、ＲＯＭ２１９は、基本Ｉ／Ｏ（basic  input  and  output）、起動、若しくはキーボードからのキーストロークの受付といった、不揮発性メモリ内に記憶される基本的なシステム機能の不変の低レベルシステムコード又はデータを記憶するように構成され得る。記憶媒体２２１は、ＲＡＭ、ＲＯＭ、ＰＲＯＭ（Programmable  ROM）、ＥＰＲＯＭ（Erasable  PROM）、ＥＥＰＲＯＭ（Electrically  EPROM）、磁気ディスク、光ディスク、フロッピーディスク、ハードディスク、取り外し可能カートリッジ又はフラッシュドライブといったメモリを含むように構成され得る。１つの例において、記憶媒体２２１は、オペレーティングシステム２２３、ウェブブラウザアプリケーション、ウィジェット若しくはガジェットエンジン若しくは他のアプリケーションといったアプリケーションプログラム２２５、及びデータファイル２２７を含むように構成され得る。記憶媒体２２１は、ＵＥ２００による使用のために、広範な多様なオペレーティングシステム又は複数のオペレーティングシステムの組み合わせのうちの任意のものを記憶してよい。
【０１１２】
記憶媒体２２１は、ＲＡＩＤ（Redundant  Array  of  Independent  Disks）といった複数の物理ドライブユニット、フロッピーディスクドライブ、フラッシュメモリ、ＵＳＢフラッシュドライブ、外部ハードディスクドライブ、サムドライブ、ペンドライブ、キードライブ、ＨＤ−ＤＶＤ（High-Density  Digital  Versatile  Disc）、光ディスクドライブ、内部ハードディスクドライブ、Ｂｌｕ−Ｒａｙ光ディスクドライブ、ＨＤＤＳ（Holographic  Digital  Data  Storage）光ディスクドライブ、外部ミニＤＩＭＭ（Dual  In-Line  Memory  Module）、ＳＤＲＡＭ（synchronous  dynamic  RAM）、外部マイクロＤＩＭＭ  ＳＤＲＡＭ、ＳＩＭ（Subscriber  Identity  Module）又はＲＵＩＭ（Removable  User  Identity  Module）といったスマートカードメモリを含むように構成され得る。記憶媒体２２１は、ＵＥ２００が一時的な若しくは非一時的な記憶媒体に記憶されるコンピュータ実行可能な命令又はアプリケーションプログラムなどへアクセスしてデータをオフロード又はアップロードすることを可能にし得る。通信システムを利用するものなどといった製品の品目は、デバイス読取可能な媒体を含み得る記憶媒体２２１において有形的に具現化され得る。
【０１１３】
図２において、処理回路２０１は、通信サブシステム２３１を用いてネットワーク２４３ｂと通信するように構成され得る。ネットワーク２４３ａ及びネットワーク２４３ｂは、１つ若しくは複数の、同一のネットワークであってもよく又は異なるネットワークであってもよい。通信サブシステム２３１は、ネットワーク２４３ｂと通信するために使用される１つ以上の送受信機を含むように構成され得る。例えば、通信サブシステム２３１は、ＩＥＥＥ８０２．２、ＣＤＭＡ（Code  Division  Multiplexing  Access）、ＷＣＤＭＡ、ＧＳＭ、ＬＴＥ、ＵＴＲＡＮ若しくはＷｉＭａｘなどといった１つ以上の通信プロトコルに従って、他のＷＤ、ＵＥ又は無線アクセスネットワーク（ＲＡＮ）の基地局といったワイヤレス通信可能な他のデバイスの１つ以上の遠隔の送受信機と通信するために使用される１つ以上の送受信機を含むように構成され得る。各送受信機は、ＲＡＮリンクにとってそれぞれ適切な送信機又は受信機の機能性（例えば、周波数割り当てなど）を実装する送信機２３３及び／又は受信機２３５を含み得る。さらに、各送受信機の送信機２３３及び受信機２３５は、回路コンポーネント、ソフトウェア若しくはファームウェアを共有してもよく、又は代替的に別個に実装されてもよい。
【０１１４】
図示した実施形態において、通信サブシステム２３１の通信機能は、データ通信、音声通信、マルチメディア通信、Ｂｌｕｅｔｏｏｔｈのような近距離通信、近接（near-field）通信、ロケーションの決定のためのＧＰＳ（Global  Positioning  System）の使用といったロケーションベースの通信、他の類似の通信機能、又はそれらの任意の組み合わせを含み得る。例えば、通信サブシステム２３１は、セルラー通信、Ｗｉ−Ｆｉ通信、Ｂｌｕｅｔｏｏｔｈ通信及びＧＰＳ通信を含んでもよい。ネットワーク２４３ｂは、ＬＡＮ、ＷＡＮ、コンピュータネットワーク、ワイヤレスネットワーク、電気通信ネットワーク、他の類似のネットワーク、又はそれらの任意の組み合わせといった、有線及び／又は無線のネットワークを包含し得る。例えば、ネットワーク２４３ｂは、セルラーネットワーク、Ｗｉ−Ｆｉネットワーク及び／又は近接ネットワークを含んでもよい。電源２１３は、交流電流（ＡＣ）又は直流電流（ＤＣ）での電力をＵＥ２００のコンポーネントへ提供するように構成され得る。
【０１１５】
ここで説明される特徴、恩恵及び／又は機能は、ＵＥ２００のコンポーネントのうちの１つに実装されてもよく、又はＵＥ２００の複数のコンポーネントをまたいで分けられてもよい。さらに、ここで説明される特徴、恩恵及び／又は機能は、ハードウェア、ソフトウェア又はファームウェアの任意の組み合わせで実装されてよい。１つの例において、通信サブシステム２３１がここで説明されるコンポーネントのいずれかを含むように構成されてもよい。さらに、処理回路２０１は、バス２０２上でそうしたコンポーネントのうちの任意のものと通信するように構成されてもよい。他の例において、そうしたコンポーネントのうちの任意のものが、メモリ内に記憶されるプログラム命令であって、処理回路２０１による実行時にここで説明される対応する機能を行う当該プログラム命令により表されてもよい。他の例において、そうしたコンポーネントのうちの任意のものの機能性が、処理回路２０１と通信サブシステム２３１との間で分けられてもよい。他の例において、そうしたコンポーネントのうちの任意のものの計算上重くない機能がソフトウェア又はファームウェアで実装され、計算上重い機能がハードウェアで実装されてもよい。
【０１１６】
図３は、いくつかの実施形態により実装される機能が仮想化され得る仮想化環境３００を示す概略ブロック図である。本文脈において、装置又はデバイスの仮想的なバージョンを生成する仮想化手段は、仮想化ハードウェアプラットフォーム、記憶デバイス及びネットワーキングリソースを含み得る。ここで使用されるところでは、仮想化は、ノード（例えば、仮想化基地局若しくは仮想化無線アクセスノード）、デバイス（例えば、ＵＥ、ワイヤレスデバイス、若しくは任意の他のタイプの通信デバイス）、又はそれらのコンポーネントへ適用されることができ、その機能性の少なくとも一部が（例えば、１つ以上のネットワーク内の１つ以上の物理的な処理ノード上で稼働する１つ以上のアプリケーション、コンポーネント、機能、仮想マシン又はコンテナを介して）１つ以上の仮想コンポーネントとして実装される実装法に関する。
【０１１７】
いくつかの実施形態において、ここで説明される機能のいくつか又は全ては、ハードウェアノード３３０の１つ以上によりホスティングされる１つ以上の仮想環境３００内に実装される１つ以上の仮想マシンにより実行される仮想コンポーネントとして実装されてよい。さらに、仮想ノードが無線アクセスノードではなく又は無線接続性を要しない実施形態（例えば、コアネットワークノード）では、ネットワークノードが全体として仮想化されてもよい。
【０１１８】
上記機能は、ここで開示される実施形態のいくつかの特徴、機能及び／又は恩恵のいくつかを実装するように動作可能な１つ以上のアプリケーション３２０（代替的に、ソフトウェアインスタンス、仮想アプライアンス、ネットワーク機能、仮想ノード、仮想ネットワーク機能などと呼ばれてもよい）により実装され得る。アプリケーション３２０は、処理回路３６０及びメモリ３９０を含むハードウェア３３０を提供する仮想化環境３００において実行される。メモリ３９０は、処理回路３６０により実行可能な命令３９５を含み、それによりアプリケーション３２０はここで開示される特徴、恩恵及び／又は機能のうちの１つ以上を提供するように動作可能である。
【０１１９】
仮想化環境３００は、１つ以上のプロセッサのセットを含む汎用の若しくは特殊目的のネットワークハードウェアデバイス３３０又は処理回路３６０を含み、それらは、ＣＯＴＳ（Commercial  Off-The-Shelf）プロセッサ、専用ＡＳＩＣ、又はデジタル若しくはアナログのハードウェアコンポーネント若しくは特殊目的のプロセッサを含む任意の他のタイプの処理回路であってよい。各ハードウェアデバイスは、命令３９５又は処理回路３６０により実行されるソフトウェアを一時的に記憶するための非永続的なメモリであり得るメモリ３９０−１を含んでよい。各ハードウェアデバイスは、物理的なネットワークインタフェース３８０を含む、ネットワークインタフェースカードとしても知られる１つ以上のネットワークインタフェースコントローラ（ＮＩＣ）３７０を含んでもよい。また、各ハードウェアデバイスは、処理回路３６０により実行可能なソフトウェア３９５及び／又は命令を記憶した非一時的で永続的なマシン読取可能な記憶媒体３９０−２を含んでもよい。ソフトウェア３９５は、１つ以上の仮想化レイヤ（ハイパーバイザともいう）３５０をインスタンス化するためのソフトウェア、仮想マシン３４０を実行するためのソフトウェア、並びに、ここで説明されるいくつかの実施形態に関連して説明される機能、特徴、及び／又は恩恵をなすことを可能にするソフトウェアを含む、いかなるタイプのソフトウェアを含んでもよい。
【０１２０】
仮想マシン３４０は、仮想処理、仮想メモリ、仮想ネットワーキング又はインタフェース、及び仮想ストレージを含み、対応する仮想化レイヤ３５０又はハイパーバイザにより実行され得る。仮想アプライアンス３２０のインスタンスの様々な実施形態が、仮想マシン３４０のうちの１つ以上において実装されてよく、その実装は、様々な手法でなされてよい。
【０１２１】
動作中に、処理回路３６０は、ソフトウェア３９５を実行して、仮想マシンモニタ（ＶＭＭ）として言及されることもあり得るハイパーバイザ又は仮想化レイヤ３５０をインスタンス化する。仮想化レイヤ３５０は、仮想マシン３４０にとってネットワーキングハードウェアのように見える仮想動作プラットフォームを呈示する。
【０１２２】
図３に示したように、ハードウェア３３０は、一般的な又は固有のコンポーネントを伴うスタンドアローンのネットワークノードであってもよい。ハードウェア３３０は、アンテナ３２２５を含んでもよく、仮想化を介していくつかの機能を実装してもよい。代替的に、ハードウェア３３０は、多数のハードウェアノードが協働し及びＭＡＮＯ（Management  and  Orchestration）３１００を介して管理される（例えば、データセンタ又はＣＰＥ内のもののような）より大規模なハードウェアのクラスタの一部であってもよく、ＭＡＮＯ３１００はとりわけアプリケーション３２０のライフサイクル管理を監督する。
【０１２３】
ハードウェアの仮想化を、いくつかの文脈において、ネットワーク機能仮想化（ＮＦＶ）という。ＮＦＶは、データセンタ及びＣＰＥ内に位置することのできる、業界標準の大容量のサーバハードウェア、物理スイッチ及び物理ストレージへと多くのネットワーク機器のタイプを集約するために使用され得る。
【０１２４】
ＮＦＶの文脈では、仮想マシン３４０は、物理的であって仮想化されていないマシン上であたかも実行されているかのようにプログラムを稼働させる物理マシンのソフトウェア実装であってよい。仮想マシン３４０の各々、及び当該仮想マシンを実行するハードウェア３３０の部分は、当該仮想マシンに専用のハードウェアであれ、及び／又は当該仮想マシンにより他の仮想マシン３４０と共用されるハードウェアであれ、別個の仮想ネットワークエレメント（ＶＮＥ）を形成する。
【０１２５】
やはりＮＦＶの文脈において、仮想ネットワーク機能（ＶＮＦ）は、ハードウェアネットワーキング基盤３３０の最上位で１つ以上の仮想マシン３４０において稼働する固有のネットワーク機能を扱うことに責任を有し、図３におけるアプリケーション３２０に対応する。
【０１２６】
いくつかの実施形態において、１つ以上の送信機３２２０及び１つ以上の受信機３２１０を各々含む１つ以上の無線ユニット３２００は、１つ以上のアンテナ３２２５へ連結され得る。無線ユニット３２００は、１つ以上の適切なネットワークインタフェースを介してハードウェアノード３３０と直接的に通信してもよく、無線アクセスノード又は基地局のように仮想ノードに無線ケイパビリティを提供するために仮想コンポーネントとの組み合わせで使用されてもよい。
【０１２７】
いくつかの実施形態において、制御システム３２３０の使用と共に何らかのシグナリングを作用させることができ、それは代替的にハードウェアノード３３０及び無線ユニット３２００の間の通信のために使用されてもよい。
【０１２８】
図４を参照すると、一実施形態によれば、通信システムは、３ＧＰＰ型のセルラーネットワークといった電気通信ネットワーク４１０を含み、電気通信ネットワーク４１０は、無線アクセスネットワークといったアクセスネットワーク４１１とコアネットワーク４１４とを含む。アクセスネットワーク４１１は、ノードＢ、ｅＮＢ、ｇＮＧ、又は他のタイプの無線アクセスポイントといった複数の基地局４１２ａ、４１２ｂ、４１２ｃを含み、その各々が対応するカバレッジエリア４１３ａ、４１３ｂ、４１３ｃを定義する。各基地局４１２ａ、４１２ｂ、４１２ｃは、有線又は無線接続４１５上でコアネットワーク４１４へ接続可能である。カバレッジエリア４１３ｃに位置する第１のＵＥ４９１は、対応する基地局４１２ｃへワイヤレスに接続され又は対応する基地局４１２ｃによりページングされるように構成される。カバレッジエリア４１３ａ内の第２のＵＥ４９２は、対応する基地局４１２ａへワイヤレスに接続可能である。この例では、複数のＵＥ４９１、４９２が図示されているものの、開示される実施形態は、カバレッジエリア内に単一のＵＥがある状況、又は対応する基地局４１２へ単一のＵＥが接続している状況へ等しく適用可能である。
【０１２９】
電気通信ネットワーク４１０は、それ自体がホストコンピュータ４３０へ接続され、ホストコンピュータ４３０は、スタンドアローンのサーバのハードウェア及び／若しくはソフトウェア、クラウド実装のサーバ、分散型サーバで具現化されてもよく、又はサーバファーム内の処理リソースとして具現化されてもよい。ホストコンピュータ４３０は、サービスプロバイダの所有下にあってもその制御下にあってもよく、又はサービスプロバイダにより若しくはサービスプロバイダのために運用されてもよい。電気通信ネットワーク４１０とホストコンピュータ４３０との間の接続４２１及び４２２は、コアネットワーク４１４からホストコンピュータ４３０へ直接的に伸びていてもよく、オプションとしての中間ネットワーク４２０を介してつながっていてもよい。中間ネットワーク４２０は、パブリック、プライベート又はホステッドネットワークのうちの１つまたはそれらの複数の組み合わせであってもよく、中間ネットワーク４２０は、もしあればバックボーンネットワーク又はインターネットであってもよく、具体的には、中間ネットワーク４２０は、２つ以上のサブネットワーク（図示せず）を含んでもよい。
【０１３０】
図４の通信システムは、全体として、接続されるＵＥ４９１、４９２とホストコンピュータ４３０との間の接続性を可能にする。その接続性は、オーバー・ザ・トップ（ＯＴＴ）接続４５０として説明されてよい。ホストコンピュータ４３０及び接続されるＵＥ４９１、４９２は、アクセスネットワーク４１１、コアネットワーク４１４、任意の中間ネットワーク４２０及びあり得るさらなる基盤（図示せず）を途中段階として用いて、ＯＴＴ接続４５０を介してデータ及び／又はシグナリングを通信するように構成される。ＯＴＴ接続４５０は、ＯＴＴ接続４５０の通過途上の参加している通信デバイスがアップリンク通信及びダウンリンク通信のルーティングを意識しないという意味において、透過的であり得る。例えば、基地局４１２は、ホストコンピュータ４３０から発して接続されるＵＥ４９１へ転送（例えば、ハンドオーバ）されるべきデータを伴うインカミングのダウンリンク通信の過去のルーティングについて通知されなくてよく又はその通知を必要としない。同様に、基地局４１２は、ＵＥ４９１から発してホストコンピュータ４３０へ向かうアウトゴーイングのアップリンク通信の将来のルーティングを認識することを必要としない。
【０１３１】
前の段落で議論したＵＥ、基地局及びホストコンピュータの一実施形態に係る例示的な実装が、これより図５を参照しながら説明される。通信システム５００において、ホストコンピュータ５１０は、通信システム５００の異なる通信デバイスのインタフェースとの有線又は無線の接続をセットアップし及び維持するように構成される通信インタフェース５１６を含むハードウェア５１５を備える。ホストコンピュータ５１０は、さらに、記憶及び／又は処理のケイパビリティを有し得る処理回路５１８を備える。具体的には、処理回路５１８は、命令を実行するように適合される、１つ以上のプログラマブルプロセッサ、特定用途向け集積回路、フィールドプログラマブルゲートアレイ又はそれらの組み合わせ（図示せず）を含んでよい。ホストコンピュータ５１０は、さらに、ホストコンピュータ５１０内に記憶され又はホストコンピュータ５１０によりアクセス可能なソフトウェア５１１であって、処理回路５１８により実行可能な当該ソフトウェア５１１を備える。ソフトウェア５１１は、ホストアプリケーション５１２を含む。ホストアプリケーション５１２は、ＵＥ５３０及びホストコンピュータ５１０で終端するＯＴＴ接続５５０を介して接続しているＵＥ５３０といったリモートユーザへサービスを提供するように動作可能であり得る。リモートユーザへのサービスの提供中に、ホストアプリケーション５１２は、ＯＴＴ接続５５０を用いて送信されるユーザデータを提供し得る。
【０１３２】
通信システム５００は、電気通信システムにおいて提供される基地局５２０をさらに含み、基地局５２０は、ホストコンピュータ５１０及びＵＥ５３０と通信することを可能にするハードウェア５２５を備える。ハードウェア５２５は、通信システム５００の異なる通信デバイスのインタフェースとの有線又は無線の接続をセットアップし及び維持するための通信インタフェース５２６、並びに、基地局５２０によりサービスされるカバレッジエリア（図５には示していない）内に位置するＵＥ５３０との少なくとも無線接続５７０をセットアップし及び維持するための無線インタフェース５２７を含み得る。通信インタフェース５２６は、ホストコンピュータ５１０への接続５６０を促進するように構成され得る。接続５６０は、直接的なものであってもよく、又は、電気通信システムのコアネットワーク（図５には示されていない）及び／若しくは電気通信システム外の１つ以上の中間ネットワークを通過してもよい。図示した実施形態において、基地局５２０のハードウェア５２５は、命令を実行するように適合される、１つ以上のプログラマブルプロセッサ、ＡＳＩＣ、ＦＰＧＡ又はそれらの組み合わせ（図示せず）を含み得る処理回路５２８をさらに含んでもよい。基地局５２０は、内部的に記憶され又は外部接続を介してアクセス可能なソフトウェア５２１をさらに有する。
【０１３３】
通信システム５００は、既に言及したＵＥ５３０をさらに含む。そのハードウェア５３５は、ＵＥ５３０がその時点で位置するカバレッジエリアへサービスする基地局との無線接続５７０をセットアップし及び維持するように構成される無線インタフェース５３７を含み得る。ＵＥ５３０のハードウェア５３５は、命令を実行するように適合される、１つ以上のプログラマブルプロセッサ、ＡＳＩＣ、ＦＰＧＡ又はそれらの組み合わせ（図示せず）を含み得る処理回路５３８をさらに含む。ＵＥ５３０は、ＵＥ５３０内に記憶され若しくはＵＥ５３０によりアクセス可能であって、処理回路５３８により実行可能なソフトウェア５３１をさらに含む。ソフトウェア５３１は、クライアントアプリケーション５３２を含む。クライアントアプリケーション５３２は、ホストコンピュータ５１０のサポートと共に、人間の又は非人間のユーザへＵＥ５３０を介してサービスを提供するように動作可能であり得る。ホストコンピュータ５１０において、実行対象のホストアプリケーション５１２は、実行対象のクライアントアプリケーション５３２とＵＥ５３０及びホストコンピュータ５１０で終端するＯＴＴ接続５５０を介して通信し得る。ユーザへのサービス提供中に、クライアントアプリケーション５３２は、ホストアプリケーション５１２からリクエストデータを受信し、当該リクエストデータへの応答としてユーザデータを提供し得る。ＯＴＴ接続５５０は、リクエストデータ及びユーザデータの双方を移送し得る。クライアントアプリケーション５３２は、自身が提供するユーザデータを生成するために、ユーザとインタラクションし得る。
【０１３４】
なお、図５に示したホストコンピュータ５１０、基地局５２０及びＵＥ５３０は、それぞれ図４のホストコンピュータ４３０、基地局４１２ａ、４１２ｂ、４１２ｃのうちの１つ、及びＵＥ４９１、４９２のうちの１つと類似し又は同一であってもよい。言うなれば、これらエンティティの内部的な作用は図５に示した通りであってよく、それとは独立して、周囲のネットワークトポロジーは図４のそれであってよい。
【０１３５】
図５では、ホストコンピュータ５１０とＵＥ５３０との間の基地局５２０を介する通信を、いかなる中間的なデバイス及びそれらデバイスを介するメッセージの正確なルーティングへの明示的な言及も無く例示するために、ＯＴＴ接続５５０が抽象的に描かれている。ルーティングを決定するのはネットワーク基盤であってよく、ネットワーク基盤は、ＵＥ５３０若しくはホストコンピュータ５１０を動作させるサービスプロバイダ又はそれら双方からルーティングを隠蔽するように構成されてよい。ＯＴＴ接続５５０がアクティブである間、ネットワーク基盤は、（例えば、負荷分散の考慮又はネットワークの再構成に基づいて）ルーティングを動的に変更するための決定をさらに行ってよい。
【０１３６】
ＵＥ５３０と基地局５２０との間の無線接続５７０は、本開示を通じて説明される実施形態の教示に従う。多様な実施形態の１つ以上が、ＯＴＴ接続５５０を用いてＵＥ５３０へ提供されるＯＴＴサービスの性能を改善し、無線接続５７０はその最後のセグメントを形成する。より正確には、それら実施形態の教示は、（例えば、ＰＵＣＣＨリソース割り当てのために要するオーバヘッドメッセージングを低減することにより）電力消費を改善し、それによりバッテリ寿命の延長といった恩恵を提供し得る。他の例として、それら実施形態の教示は、相異なるワイヤレスデバイスにより使用されるＰＵＣＣＨリソースの間の衝突を低減し、それによりレイテンシの低減が可能とされ、よってユーザの待ち時間の低減といった恩恵が提供され得る。
【０１３７】
データレート、レイテンシ及び１つ以上の実施形態により改善される他の要因を監視する目的で、測定手続が提供されてもよい。測定結果の変動に応答してホストコンピュータ５１０とＵＥ５３０との間のＯＴＴ接続５５０を再構成するためのオプション的なネットワークの機能性がさらに存在してもよい。上記測定手続及び／又はＯＴＴ接続５５０を再構成するためのネットワーク機能性は、ホストコンピュータ５１０のソフトウェア５１１及びハードウェア５１５、若しくはＵＥ５３０のソフトウェア５３１及びハードウェア５３５、又はそれらの双方において実装されてもよい。複数の実施形態において、通信デバイス内に又は通信デバイスに関連付けて、ＯＴＴ接続５５０が通過するセンサ（図示せず）が配備されてもよく、それらセンサは、上で例示した監視結果の数量の値を供給し又は他の物理量の値を供給することにより上記測定手続に参加してもよく、それらからソフトウェア５１１、５３１により監視対象の量が計算され又は推定され得る。ＯＴＴ接続５５０の再構成は、メッセージフォーマット、再送設定、好適なルーティングなどを含んでよく、その再構成は、基地局５２０には影響しなくてもよく、基地局５２０にとっては未知であるか又は感知不能であってもよい。そうした手続及び機能性は、当分野において既知であり又は実用されているかもしれない。ある実施形態において、測定は、ホストコンピュータ５１０によるスループット、伝播時間及びレイテンシなどの測定を容易化する独自のＵＥシグナリングを包含してもよい。その測定は、ソフトウェア５１１及び５３１がＯＴＴ接続５５０を用いて具体的には空であり又は“ダミー”のメッセージであるメッセージを送信しつつ、伝播時間や誤りなどを監視する形で実装されてもよい。
【０１３８】
図６は、１つの実施形態に従った、通信システムにおいて実装される方法を示すフローチャートである。通信システムは、図４及び図５を参照しながら説明したものであり得る、ホストコンピュータ、基地局、及びＵＥを含む。本開示を簡明にするために、図６の図への参照のみが本セクションに含められるであろう。ステップ６１０において、ホストコンピュータは、ユーザデータを提供する。ステップ６１０のサブステップ６１１（オプションであり得る）において、ホストコンピュータは、ホストアプリケーションを実行することによりユーザデータを提供する。ステップ６２０において、ホストコンピュータは、ユーザデータを搬送するＵＥへの送信を開始する。ステップ６３０（オプションであり得る）において、基地局は、本開示を通じて説明される実施形態の教示に従って、ホストコンピュータが開始した上記送信において搬送されたユーザデータをＵＥへ送信する。ステップ６４０（やはりオプションであり得る）において、ＵＥは、ホストコンピュータにより実行されるホストアプリケーションに関連付けられるクライアントアプリケーションを実行する。
【０１３９】
図７は、１つの実施形態に従った、通信システムにおいて実装される方法を示すフローチャートである。通信システムは、図４及び図５を参照しながら説明したものであり得る、ホストコンピュータ、基地局、及びＵＥを含む。本開示を簡明にするために、図７の図への参照のみが本セクションに含められるであろう。本方法のステップ７１０において、ホストコンピュータは、ユーザデータを提供する。オプション的なサブステップ（図示せず）において、ホストコンピュータは、ホストアプリケーションを実行することによりユーザデータを提供する。ステップ７２０において、ホストコンピュータは、ユーザデータを搬送するＵＥへの送信を開始する。その送信は、本開示を通じて説明される実施形態の教示に従って、基地局を通過し得る。ステップ７３０（オプションであり得る）において、ＵＥは、上記送信において搬送されるユーザデータを受信する。
【０１４０】
図８は、１つの実施形態に従った、通信システムにおいて実装される方法を示すフローチャートである。通信システムは、図４及び図５を参照しながら説明したものであり得る、ホストコンピュータ、基地局、及びＵＥを含む。本開示を簡明にするために、図８の図への参照のみが本セクションに含められるであろう。ステップ８１０（オプションであり得る）において、ＵＥは、ホストコンピュータにより提供される入力データを受信する。追加的に又は代替的に、ステップ８２０において、ＵＥがユーザデータを提供する。ステップ８２０のサブステップ８２１（オプションであり得る）において、ＵＥは、クライアントアプリケーションを実行することによりユーザデータを提供する。ステップ８１０のサブステップ８１１（オプションであり得る）において、ＵＥは、ホストコンピュータにより提供される入力データの受信へのリアクションにおいて、ユーザデータを提供するクライアントアプリケーションを実行する。ユーザデータの提供中に、実行されるクライアントアプリケーションは、ユーザから受け付けられるユーザ入力をさらに考慮してもよい。ユーザデータが提供された具体的なやり方に関わらず、ＵＥは、サブステップ８３０（オプションであり得る）において、ホストコンピュータへのユーザデータの送信を開始する。本方法のステップ８４０において、ホストコンピュータは、本開示を通じて説明される実施形態の教示に従って、ＵＥから送信されるユーザデータを受信する。
【０１４１】
図９は、１つの実施形態に従った、通信システムにおいて実装される方法を示すフローチャートである。通信システムは、図４及び図５を参照しながら説明したものであり得る、ホストコンピュータ、基地局、及びＵＥを含む。本開示を簡明にするために、図９の図への参照のみが本セクションに含められるであろう。ステップ９１０（オプションであり得る）において、本開示を通じて説明される実施形態の教示に従って、基地局は、ＵＥからのユーザデータを受信する。ステップ９２０（オプションであり得る）において、基地局は、受信したユーザデータのホストコンピュータへの送信を開始する。ステップ９３０（オプションであり得る）において、ホストコンピュータは、基地局により開始される上記送信において搬送されるユーザデータを受信する。
【０１４２】
ここで開示されるいかなる適切なステップ、方法、特徴、機能又は恩恵が、１つ以上の仮想的な装置の１つ以上の機能ユニット又はモジュールを通じて実行されてもよい。各仮想的な装置は、複数のそれら機能ユニットのを含んでもよい。それら機能ユニットは、１つ以上のマイクロプロセッサ又はマイクロコントローラを含み得る処理回路、並びに、ＤＳＰ及び特殊目的デジタルロジックなどを含み得る他のデジタルハードウェアを介して実装されてもよい。上記処理回路は、メモリ内に記憶されるプログラムコードを実行するように構成されてもよく、当該メモリは、ＲＯＭ、ＲＡＭ、キャッシュメモリ、フラッシュメモリデバイス、光学記憶デバイスなどといった、１つ又は複数のタイプのメモリを含み得る。メモリ内に記憶されるプログラムコードは、１つ以上の電気通信及び／又はデータ通信プロトコルを実行するためのプログラム命令、並びに、ここで説明される技法の１つ以上を遂行するための命令を含む。いくつかの実施形態において、上記処理回路は、本開示の１つ以上の実施形態に従って、それぞれの機能ユニットに対応する機能を実行させるために使用され得る。
【０１４３】
図１０は、ワイヤレスデバイスにおける方法を描いている。具体的な実施形態によれば、その方法は、ステップ１００２において開始し、ネットワークノードへアップリンク制御情報（例えば、ＨＡＲＱ  ＡＣＫ）を送信するために制御チャネル（例えば、ＰＵＣＣＨ）のどのリソースを使用すべきが決定される。その判定は、例えば、上の例示的な実施形態１〜８に関して説明したような、いかなる適した情報に基づいてなされてもよい。ある実施形態において、アップリンク制御情報を送信するために使用されるべき制御チャネルリソースは、ネットワークノードから受信されるシグナリング（例えば、ＲＲＣ及び／又はＤＣＩシグナリング）及びワイヤレスデバイスにより実行される暗黙的なリソース決定に基づいて決定される。上記方法は、ステップ１００４へ進み、制御チャネルの決定されるリソース（ステップ１００２において決定されたリソース）を用いて、アップリンク制御情報が送信される。
【０１４４】
図１０はワイヤレスデバイス（例えば、ＵＥ）の一般的な動作を示している一方、図１１〜図１３は、上述した実施形態３、４及び７に関するいくつかの固有の例を示している。図１１は、上述した実施形態３の少なくともいくつかの観点を示すフローチャートである。図示したように、ＵＥは、ネットワークノードから、各々２つ以上のアップリンク制御チャネルリソースを含む２つ以上のアップリンク制御チャネルリソースセットの準静的な構成を提供する情報を含むシグナリングを受信する（ステップ１１００）。ＵＥは、当該ＵＥへのダウンリンク共有チャネル送信をスケジューリングするダウンリンク制御チャネルを受信する（ステップ１１０２）。ＵＥは、ネットワークノードへＵＣＩを送信するために使用すべきアップリンク制御チャネルリソースを決定する（ステップＳ１１０４）。決定ステップ１１０４の詳細は、実施形態３に関して上述した通りである。上で議論したように、上記ＵＣＩは、上記ダウンリンク共有チャネル送信についてのＨＡＲＱフィードバックを含む。上で議論したように、アップリンク制御チャネルリソースの決定は、ＨＡＲＱ  ＡＣＫフィードバックがＵＣＩの一部である場合には、ＵＣＩペイロード及び次のうちの１つ以上に基づいて、２つ以上のアップリンク制御チャネルリソースセット内のアップリンク制御チャネルリソースからアップリンク制御チャネルリソースを選択すること、を含む：
・物理ダウンリンク共有チャネル送信（即ち、ＨＡＲＱ  ＡＣＫフィードバックが提供されるべき物理ダウンリンク共有チャネル送信）をスケジューリングするダウンリンク制御チャネルが受信される、ＣＯＲＥＳＥＴ；
・上記ＣＯＲＥＳＥＴ内のサーチスペース（即ち、物理ダウンリンク共有チャネル送信をスケジューリングするダウンリンク制御チャネルが受信される上記ＣＯＲＥＳＥＴ内のサーチスペース）；
・上記サーチスペース内のダウンリンク制御チャネル候補の開始ＣＣＥインデックス（即ち、物理ダウンリンク共有チャネル送信をスケジューリングするダウンリンク制御チャネルが受信される上記サーチスペース内のダウンリンク制御チャネル候補の開始ＣＣＥインデックス）。
【０１４５】
より具体的には、実施形態３において、ＵＥは２つ以上のアップリンク制御チャネルリソースセットのうちの１つを選択する（ステップ１１０４Ａ）。上述したように、この選択は、ＨＡＲＱ  ＡＣＫフィードバックがＵＣＩの一部である場合には、ＵＣＩペイロード及び次のうちの１つ以上に基づく：
・物理ダウンリンク共有チャネル送信（即ち、ＨＡＲＱ  ＡＣＫフィードバックが提供されるべき物理ダウンリンク共有チャネル送信）をスケジューリングするダウンリンク制御チャネルが受信される、ＣＯＲＥＳＥＴ；
・上記ＣＯＲＥＳＥＴ内のサーチスペース（即ち、物理ダウンリンク共有チャネル送信をスケジューリングするダウンリンク制御チャネルが受信される上記ＣＯＲＥＳＥＴ内のサーチスペース）；
・上記サーチスペース内のダウンリンク制御チャネル候補の開始ＣＣＥインデックス（即ち、物理ダウンリンク共有チャネル送信をスケジューリングするダウンリンク制御チャネルが受信される上記サーチスペース内のダウンリンク制御チャネル候補の開始ＣＣＥインデックス）。
いくつかの実施形態において、アップリンク制御チャネルリソースセットの選択は、ＣＣＥインデックス、成功裏に受信されたＰＤＣＣＨのサーチスペース、及びオプションとしてＰＤＣＣＨをスクランブルするために使用される識別子（無線ネットワーク一時識別子（ＲＮＴＩ））に基づいてなされ、それらを用いて、選択されたＰＵＣＣＨフォーマットに対応する一群の構成済みＰＵＣＣＨリソースセット内の単一のＰＵＣＣＨリソースセットが決定される。ＵＥは、ネットワークノードへアップリンク制御情報を送信するために使用すべきアップリンク制御チャネルリソースとして、当該ネットワークノードからの動的なシグナリングに基づいて、選択された上記アップリンク制御チャネルリソースセットからの２つ以上のアップリンク制御チャネルリソースのうちの１つを選択する（ステップ１１０４Ｂ）。ＵＥは、決定したアップリンク制御チャネルリソースを用いて、ＵＣＩを送信する（ステップ１１０６）。
【０１４６】
図１２は、上述した実施形態４の少なくともいくつかの観点を示すフローチャートである。図示したように、ＵＥは、ネットワークノードから、各々２つ以上のアップリンク制御チャネルリソースを含む２つ以上のアップリンク制御チャネルリソースセットの準静的な構成を提供する情報を含むシグナリングを受信する（ステップ１２００）。ＵＥは、当該ＵＥへのダウンリンク共有チャネル送信をスケジューリングするダウンリンク制御チャネルを受信する（ステップＳ１２０２）。ＵＥは、ネットワークノードへＵＣＩを送信するために使用すべきアップリンク制御チャネルリソースを決定する（ステップＳ１２０４）。決定ステップ１２０４の詳細は、実施形態４に関して上述した通りである。上で議論したように、上記ＵＣＩは、上記ダウンリンク共有チャネル送信についてのＨＡＲＱフィードバックを含む。上で議論したように、アップリンク制御チャネルリソースの決定は、ＨＡＲＱ  ＡＣＫフィードバックがＵＣＩの一部である場合には、ＵＣＩペイロード及び次のうちの１つ以上に基づいて、２つ以上のアップリンク制御チャネルリソースセット内のアップリンク制御チャネルリソースからアップリンク制御チャネルリソースを選択すること、を含む：
・物理ダウンリンク共有チャネル送信（即ち、ＨＡＲＱ  ＡＣＫフィードバックが提供されるべき物理ダウンリンク共有チャネル送信）をスケジューリングするダウンリンク制御チャネルが受信される、ＣＯＲＥＳＥＴ；
・上記ＣＯＲＥＳＥＴ内のサーチスペース（即ち、物理ダウンリンク共有チャネル送信をスケジューリングするダウンリンク制御チャネルが受信される上記ＣＯＲＥＳＥＴ内のサーチスペース）；
・上記サーチスペース内のダウンリンク制御チャネル候補の開始ＣＣＥインデックス（即ち、物理ダウンリンク共有チャネル送信をスケジューリングするダウンリンク制御チャネルが受信される上記サーチスペース内のダウンリンク制御チャネル候補の開始ＣＣＥインデックス）。
【０１４７】
より具体的には、実施形態４において、ＵＥは、ネットワークノードからの動的なシグナリングに基づいて、アップリンク制御チャネルリソースセットのうちの１つを選択する（ステップ１２０４Ａ）。ＵＥは、ネットワークノードへアップリンク制御情報を送信するために使用すべきアップリンク制御チャネルリソースとして、暗黙的な決定を用いて、選択されたアップリンク制御チャネルリソースセットからのアップリンク制御チャネルリソースのうちの１つを選択する（ステップ１２０４Ｂ）。上述したように、その暗黙的な決定は、ＣＣＥインデックス、成功裏に受信されたＰＤＣＣＨのサーチスペース、及びオプションとしてＰＤＣＣＨをスクランブルするために使用される識別子（ＲＮＴＩ）に基づいてなされ、それらを用いて、選択されたＰＵＣＣＨフォーマットに対応する一群のＰＵＣＣＨリソースセット内の単一のＰＵＣＣＨリソースが決定される。ＵＥは、決定したアップリンク制御チャネルリソースを用いて、ＵＣＩを送信する（ステップ１２０６）。
【０１４８】
図１３は、上述した実施形態７の少なくともいくつかの観点を示すフローチャートである。図示したように、ＵＥは、ネットワークノードから、当該ＵＥへの第１のダウンリンク共有チャネル送信をスケジューリングする第１のダウンリンク制御チャネルメッセージを受信し（ステップ１３００）、及び、当該ＵＥへの第２のダウンリンク共有チャネル送信をスケジューリングする第２のダウンリンク制御チャネルメッセージを受信する（ステップ１３０２）。ＵＥは、ネットワークノードへＵＣＩを送信するために使用すべきアップリンク制御チャネルリソースを決定する（ステップ１３０４）。決定ステップ１３０４の詳細は、実施形態７に関して上述した通りである。上で議論したように、上記ＵＣＩは、上記ダウンリンク共有チャネル送信についてのＨＡＲＱフィードバックを含む。上述したように、ＵＣＩを送信するために使用すべきアップリンクチャネルリソースは、ネットワークノードから受信されるシグナリング、並びに、第１の及び第２のダウンリンク制御チャネルメッセージのうちの直近の受信分に基づいて決定される。ＵＥは、決定したアップリンク制御チャネルリソースを用いて、ＵＣＩを送信する（ステップ１３０６）。
【０１４９】
図１４は、ワイヤレスネットワーク（例えば、図１に示したワイヤレスネットワーク）内の装置１４００の概略ブロック図を示している。当該装置は、ワイヤレスデバイス又はネットワークノード（例えば、図１に示したワイヤレスデバイス１１０又はネットワークノード１６０）において実装され得る。装置１４００は、図１０を参照しながら説明した例示的な方法及び恐らくはここで開示した任意の他の処理又は方法を遂行するように動作可能である。また、理解されるべきこととして、図１０の方法は、装置１４００により必ずしも単独で遂行されるわけではない。上記方法の少なくともいくつかの動作を、１つ以上の他のエンティティにより実行することができる。
【０１５０】
仮想的な装置１４００が、１つ以上のマイクロプロセッサ又はマイクロコントローラを含み得る処理回路、並びに、ＤＳＰ及び特殊目的デジタルロジックなどを含み得る他のデジタルハードウェアを含んでもよい。上記処理回路は、メモリ内に記憶されるプログラムコードを実行するように構成されてもよく、当該メモリは、ＲＯＭ、ＲＡＭ、キャッシュメモリ、フラッシュメモリデバイス、光学記憶デバイスなどといった、１つ又は複数のタイプのメモリを含み得る。メモリ内に記憶されるプログラムコードは、１つ以上の電気通信及び／又はデータ通信プロトコルを実行するためのプログラム命令、並びに、複数の実施形態においてここで説明される技法の１つ以上を遂行するための命令を含む。いくつかの実施形態において、上記処理回路は、ＰＵＣＣＨリソース選択ユニット１４０２、ＵＣＩ送信ユニット１４０４及び装置１４００の任意の他の適したユニットに、本開示の１つ以上の実施形態に係る対応する機能を実行させるために使用され得る。
【０１５１】
図１４に示したように、装置１４００は、ＰＵＣＣＨリソース選択ユニット１４０２及びＵＣＩ送信ユニット１４０４を含む。ＰＵＣＣＨリソース選択ユニット１４０２は、ネットワークノードへアップリンク制御情報を送信するために制御チャネルのどのリソースを使用すべきかを決定する、ように構成される。その判定は、例えば、上の例示的な実施形態１〜８に関して説明したような、いかなる適した情報に基づいてなされてもよい。ＵＣＩ送信ユニット１４０４は、ＰＵＣＣＨリソース選択ユニット１４０２により決定されたリソースを用いて、アップリンク制御情報を送信する、ように構成される。
【０１５２】
ユニットとの用語は、電子機器、電気デバイス及び／又は電子デバイスの分野における旧来の意味を有してよく、例えば、ここで説明したもののような、それぞれのタスク、手続、計算、出力及び／若しくは表示機能などを遂行するための、電気回路及び／若しくは電子回路、デバイス、モジュール、プロセッサ、メモリ、ロジック固体素子及び／若しくは離散デバイス、コンピュータプログラム、又は、命令を含み得る。
【０１５３】
いくつかの例示的な実施形態は次の通りである：
グループＡの実施形態
実施形態1：ワイヤレスデバイスにより実行される方法であって、ネットワークノードへアップリンク制御情報を送信するために制御チャネルのどのリソースを使用すべきかを決定することと、前記ネットワークノードから受信されるシグナリングと前記ワイヤレスデバイスにより行われる暗黙的なリソース決定との組み合わせに基づいて前記リソースが決定されることと、前記制御チャネルの決定される前記リソースを用いて前記アップリンク制御情報を送信することと、を含む方法。
【０１５４】
実施形態2：前述した実施形態の方法であって、前記制御チャネルは、物理アップリンク制御チャネル（ＰＵＣＣＨ）を含み、前記アップリンク制御情報は、ハイブリッド自動再送要求（ＨＡＲＱ）確認応答（ＡＣＫ）、チャネル状態情報（ＣＳＩ）及び／又はスケジューリング要求（ＳＲ）のうちの１つ以上を含む、方法。
【０１５５】
実施形態3：前述した実施形態のいずれかの方法であって、前記制御チャネルのどのリソースを使用すべきかの前記決定は、前記ワイヤレスデバイスがダウンリンク送信をスケジューリングするメッセージを受信する時と前記ワイヤレスデバイスが前記アップリンク制御情報を送信する時との間のタイミングが可変である場合に実行される、方法。
【０１５６】
実施形態4：前述した実施形態のいずれかの方法であって、前記制御チャネルのどのリソースを使用すべきかの前記決定は、同じスロット内の複数の制御領域のうちの任意の１つにおいて、前記ワイヤレスデバイスがダウンリンク送信をスケジューリングするメッセージを受信できる場合に実行される、方法。
【０１５７】
実施形態5：前述した実施形態のいずれかの方法であって、前記制御チャネルのどのリソースを使用すべきかの決定のために前記ネットワークノードから受信される前記シグナリングは、準静的なシグナリングを含む、方法。
【０１５８】
実施形態6：前述した実施形態の方法であって、前記準静的なシグナリングは、無線リソース制御（ＲＲＣ）シグナリングを含む、方法。
【０１５９】
実施形態7：前述した実施形態のいずれかの方法であって、前記制御チャネルのどのリソースを使用すべきかの決定のために前記ネットワークノードから受信される前記シグナリングは、動的なシグナリングを含む、方法。
【０１６０】
実施形態8：前述した実施形態の方法であって、前記動的なシグナリングは、ダウンリンク制御情報（ＤＣＩ）を含む、方法。
【０１６１】
実施形態9：前述した実施形態のいずれかの方法であって、前記ネットワークノードから受信される前記シグナリングは、１つ以上のスロット内の異なるＣＯＲＥＳＥＴについてのＰＵＣＣＨリソースの異なるセットを構成するＲＲＣシグナリングを含み、それを元にして、異なるセット内のＰＵＣＣＨリソースが互いに直交するようにそれらリソースを決定するために前記暗黙的なリソース決定を使用することができる、方法。
【０１６２】
実施形態10：前述した実施形態のいずれかの方法であって、前記ネットワークノードから受信される前記シグナリングは、開始インデックスを指し示す動的なシグナリングを含み、当該開始インデックスに対して相対的にＰＵＣＣＨリソースを暗黙的に決定することができる、方法。
【０１６３】
実施形態11：前述した実施形態のいずれかの方法であって、前記ネットワークノードから受信される前記シグナリングは、前記スロットのインデックス及び／又は使用すべきＰＵＣＣＨフォーマットを指し示す動的なシグナリングを含む、方法。
【０１６４】
実施形態12：前述した実施形態のいずれかの方法であって、前記アップリンク制御情報は、周期的なアップリンク制御情報を含む、方法。
【０１６５】
実施形態13：前述した実施形態のいずれかの方法であって、前記アップリンク制御情報は、非周期的なアップリンク制御情報を含む、方法。
【０１６６】
実施形態14：前述した実施形態のいずれかの方法であって、ユーザデータを提供することと、当該ユーザデータを前記基地局への前記送信を介してホストコンピュータへ転送することと、をさらに含む方法。
【０１６７】
グループＢの実施形態
実施形態15：基地局により実行される方法であって、ワイヤレスデバイスへ情報をシグナリングすること、を含み、前記情報は、前記ワイヤレスデバイスにより行われる暗黙的なリソース決定と組み合わされた場合に、前記基地局へアップリンク制御情報を送信するために制御チャネルのどのリソースを使用すべきかの決定において前記ワイヤレスデバイスを支援する、方法。
【０１６８】
実施形態16：前述した実施形態の方法であって、前記シグナリング情報に部分的に基づいて決定される前記制御チャネルの前記リソースを介して、前記ワイヤレスデバイスから前記アップリンク制御情報を受信すること、をさらに含む、方法。
【０１６９】
実施形態17：前述した実施形態のいずれかの方法であって、前記ワイヤレスデバイスへシグナリングすべき前記情報を決定すること、をさらに含む、方法。
【０１７０】
実施形態18：前述した実施形態のいずれかの方法であって、前記制御チャネルは、物理アップリンク制御チャネル（ＰＵＣＣＨ）を含み、前記アップリンク制御情報は、ハイブリッド自動再送要求（ＨＡＲＱ）確認応答（ＡＣＫ）、チャネル状態情報（ＣＳＩ）及び／又はスケジューリング要求（ＳＲ）のうちの１つ以上を含む、方法。
【０１７１】
実施形態19：前述した実施形態のいずれかの方法であって、前記基地局がダウンリンク送信をスケジューリングするメッセージを送信する時と前記ワイヤレスデバイスが前記アップリンク制御情報を送信する時との間のタイミングが可変である場合に、前記ワイヤレスデバイスへ前記情報をシグナリングすることを決定すること、をさらに含む、方法。
【０１７２】
実施形態20：前述した実施形態のいずれかの方法であって、同じスロット内の複数の制御領域のうちの任意の１つにおいて、前記基地局がダウンリンク送信をスケジューリングするメッセージを送信できる場合に、前記ワイヤレスデバイスへ前記情報をシグナリングすることを決定すること、をさらに含む、方法。
【０１７３】
実施形態21：前述した実施形態のいずれかの方法であって、前記制御チャネルのどのリソースを使用すべきかの決定のために前記ワイヤレスデバイスへ送信される前記シグナリングは、準静的なシグナリングを含む、方法。
【０１７４】
実施形態22：前述した実施形態のいずれかの方法であって、前記制御チャネルのどのリソースを使用すべきかの決定のために前記ワイヤレスデバイスへ送信される前記シグナリングは、動的なシグナリングを含む、方法。
【０１７５】
実施形態23：前述した実施形態のいずれかの方法であって、前記ワイヤレスデバイスへ送信される前記シグナリングは、１つ以上のスロット内の異なるＣＯＲＥＳＥＴについての物理アップリンク制御チャネル（ＰＵＣＣＨ）リソースの異なるセットを構成する無線リソース制御（ＲＲＣ）シグナリングを含み、それを元にして、異なるセット内のＰＵＣＣＨリソースが互いに直交するようにそれらリソースを決定するために前記ワイヤレスデバイスにより前記暗黙的なリソース決定を使用することができる、方法。
【０１７６】
実施形態24：前述した実施形態のいずれかの方法であって、前記ワイヤレスデバイスへ送信される前記シグナリングは、開始インデックスを指し示す動的なシグナリングを含み、当該開始インデックスに対して相対的にＰＵＣＣＨリソースを暗黙的に決定することができる、方法。
【０１７７】
実施形態25：前述した実施形態のいずれかの方法であって、前記ワイヤレスデバイスへ送信される前記シグナリングは、前記スロットのインデックス及び／又は使用すべきＰＵＣＣＨフォーマットを指し示す動的なシグナリングを含む、方法。
【０１７８】
実施形態26：前述した実施形態のいずれかの方法であって、前記アップリンク制御情報は、周期的なアップリンク制御情報を含む、方法。
【０１７９】
実施形態27：前述した実施形態のいずれかの方法であって、前記アップリンク制御情報は、非周期的なアップリンク制御情報を含む、方法。
【０１８０】
実施形態28：前述した実施形態のいずれかの方法であって、ユーザデータを取得することと、当該ユーザデータをホストコンピュータ又はワイヤレスデバイスへ転送することと、をさらに含む、方法。
【０１８１】
グループＣの実施形態
実施形態29：ワイヤレスデバイスであって、グループＡの実施形態のいずれかのステップ群のいずれかを実行するように構成される処理回路と、前記ワイヤレスデバイスへ電力を供給するように構成される電力供給回路と、を備えるワイヤレスデバイス。
【０１８２】
実施形態30：基地局であって、グループＢの実施形態のいずれかのステップ群のいずれかを実行するように構成される処理回路と、前記基地局へ電力を供給するように構成される電力供給回路と、を備える基地局。
【０１８３】
実施形態31：ユーザ機器（ＵＥ）であって、ワイヤレス信号を送信し及び受信するように構成されるアンテナと、前記アンテナ及び処理回路へ接続され、前記アンテナ及び前記処理回路の間でやり取りされる信号を調整するように構成される無線フロントエンド回路と、グループＡの実施形態のいずれかのステップ群のいずれかを実行するように構成される前記処理回路と、前記処理回路へ接続され、前記ＵＥへの情報の入力が前記処理回路により処理されることを可能にするように構成される入力インタフェースと、前記処理回路へ接続され、前記処理回路により処理された情報を前記ＵＥから出力するように構成される出力インタフェースと、前記処理回路へ接続され、前記ＵＥへ電力を供給するように構成されるバッテリと、を備えるＵＥ。
【０１８４】
実施形態32：ホストコンピュータを含む通信システムであって、ユーザデータを提供するように構成される処理回路と、前記ユーザデータをユーザ機器（ＵＥ）への送信のためにセルラーネットワークへ転送するように構成される通信インタフェースと、
を備え、前記セルラーネットワークは、無線インタフェース及び処理回路を有する基地局を含み、前記基地局の処理回路は、グループＢの実施形態のいずれかのステップ群のいずれかを実行するように構成される、通信システム。
【０１８５】
実施形態33：前述した実施形態の通信システムであって、前記基地局をさらに含む、通信システム。
【０１８６】
実施形態34：前述した２つの実施形態の通信システムであって、前記基地局と通信するように構成される前記ＵＥをさらに含む、通信システム。
【０１８７】
実施形態35：前述した３つの実施形態の通信システムであって、前記ホストコンピュータの前記処理回路は、ホストアプリケーションを実行することにより前記ユーザデータを提供するように構成され、前記ＵＥは、前記ホストアプリケーションに関連付けられるクライアントアプリケーションを実行するように構成される処理回路を備える、通信システム。
【０１８８】
実施形態36：ホストコンピュータ、基地局及びユーザ機器（ＵＥ）を含む通信システムにおいて実装される方法であって、前記ホストコンピュータにおいて、ユーザデータを提供することと、前記ホストコンピュータにおいて、前記基地局を含むセルラーネットワークを介して、前記ＵＥへの前記ユーザデータを搬送する送信を開始することと、を含み、前記基地局は、グループＢの実施形態のいずれかのステップ群のいずれかを実行する、方法。
【０１８９】
実施形態37：前述した実施形態の方法であって、前記基地局において、前記ユーザデータを送信すること、をさらに含む、方法。
【０１９０】
実施形態38：前述した２つの実施形態の方法であって、前記ユーザデータは、前記ホストコンピュータにおいてホストアプリケーションを実行することにより提供され、前記方法は、前記ＵＥにおいて、前記ホストアプリケーションに関連付けられるクライアントアプリケーションを実行すること、をさらに含む、方法。
【０１９１】
実施形態39：基地局と通信するように構成されるユーザ機器（ＵＥ）であって、無線インタフェースと、前述の３つの実施形態の方法を実行するように構成される処理回路と、を備えるＵＥ。
【０１９２】
実施形態40：ホストコンピュータを含む通信システムであって、ユーザデータを提供するように構成される処理回路と、ユーザデータをユーザ機器（ＵＥ）への送信のためにセルラーネットワークへ転送するように構成される通信インタフェースと、
を備え、前記ＵＥは、無線インタフェースと処理回路とを備え、前記ＵＥのコンポーネントは、グループＡの実施形態のいずれかのステップ群のいずれかを実行するように構成される、通信システム。
【０１９３】
実施形態41：前述した実施形態の通信システムであって、前記セルラーネットワークは、前記ＵＥと通信するように構成される基地局をさらに含む、通信システム。
【０１９４】
実施形態42：前述した2つの実施形態の通信システムであって、前記ホストコンピュータの前記処理回路は、ホストアプリケーションを実行することにより前記ユーザデータを提供するように構成され、前記ＵＥの処理回路は、前記ホストアプリケーションに関連付けられるクライアントアプリケーションを実行するように構成される、通信システム。 
実施形態43：ホストコンピュータ、基地局及びユーザ機器（ＵＥ）を含む通信システムにおいて実装される方法であって、前記ホストコンピュータにおいて、ユーザデータを提供することと、前記ホストコンピュータにおいて、前記基地局を含むセルラーネットワークを介して、前記ＵＥへの前記ユーザデータを搬送する送信を開始することと、を含み、前記ＵＥは、グループＡの実施形態のいずれかのステップ群のいずれかを実行する、方法。
【０１９５】
実施形態44：前述した実施形態の方法であって、前記ＵＥにおいて、前記基地局から前記ユーザデータを受信すること、をさらに含む、方法。
【０１９６】
実施形態45：ホストコンピュータを含む通信システムであって、ユーザ機器（ＵＥ）から基地局への送信に由来するユーザデータを受信するように構成される通信インタフェース、を備え、前記ＵＥは、無線インタフェースと処理回路とを備え、前記ＵＥの処理回路は、グループＡの実施形態のいずれかのステップ群のいずれかを実行するように構成される、通信システム。
【０１９７】
実施形態46：前述した実施形態の通信システムであって、前記ＵＥをさらに含む、通信システム。
【０１９８】
実施形態47：前述した２つの実施形態の通信システムであって、前記基地局をさらに含み、前記基地局は、前記ＵＥと通信するように構成される無線インタフェースと、前記ＵＥから前記基地局への送信により搬送される前記ユーザデータを前記ホストコンピュータへ転送するように構成される通信インタフェースと、を備える、通信システム。
【０１９９】
実施形態48：前述した３つの実施形態の通信システムであって、前記ホストコンピュータの前記処理回路は、ホストアプリケーションを実行するように構成され、前記ＵＥの処理回路は、前記ホストアプリケーションに関連付けられるクライアントアプリケーションを実行することにより前記ユーザデータを提供するように構成される、通信システム。
【０２００】
実施形態49：前述した４つの実施形態の通信システムであって、前記ホストコンピュータの前記処理回路は、ホストアプリケーションを実行することによりリクエストデータを提供するように構成され、前記ＵＥの処理回路は、前記ホストアプリケーションに関連付けられるクライアントアプリケーションを実行することにより前記リクエストデータへの応答として前記ユーザデータを提供するように構成される、通信システム。
【０２０１】
実施形態50：ホストコンピュータ、基地局及びユーザ機器（ＵＥ）を含む通信システムにおいて実装される方法であって、前記ホストコンピュータにおいて、前記ＵＥから前記基地局へ送信されるユーザデータを受信すること、を含み、前記ＵＥは、グループＡの実施形態のいずれかのステップ群のいずれかを実行する、方法。
【０２０２】
実施形態51：前述した実施形態の方法であって、前記ＵＥにおいて、前記基地局へ前記ユーザデータを提供すること、をさらに含む、方法。
【０２０３】
実施形態52：前述した２つの実施形態の方法であって、前記ＵＥにおいて、クライアントアプリケーションを実行することにより送信されるべき前記ユーザデータを提供することと、前記ホストコンピュータにおいて、前記クライアントアプリケーションに関連付けられるホストアプリケーションを実行することと、をさらに含む、方法。
【０２０４】
実施形態53：前述した３つの実施形態の方法であって、前記ＵＥにおいて、クライアントアプリケーションを実行することと、前記ＵＥにおいて、前記ホストコンピュータにおいて前記クライアントアプリケーションに関連付けられるホストアプリケーションを実行することにより提供される、前記クライアントアプリケーションへの入力データを受信することと、をさらに含み、送信されるべき前記ユーザデータは、前記入力データへの応答として前記クライアントアプリケーションにより提供される、方法。
【０２０５】
実施形態54：ホストコンピュータを含む通信システムであって、ユーザ機器（ＵＥ）から基地局への送信に由来するユーザデータを受信するように構成される通信インタフェース、を備え、前記基地局は、無線インタフェースと処理回路とを備え、前記基地局の処理回路は、グループＢの実施形態のいずれかのステップ群のいずれかを実行するように構成される、通信システム。
【０２０６】
実施形態55：前述した実施形態の通信システムであって、前記基地局をさらに含む、通信システム。
【０２０７】
実施形態56：前述した２つの実施形態の通信システムであって、前記基地局と通信するように構成される前記ＵＥをさらに含む、通信システム。
【０２０８】
実施形態57：前述した３つの実施形態の通信システムであって、前記ホストコンピュータの前記処理回路は、ホストアプリケーションを実行するように構成され、前記ＵＥは、前記ホストアプリケーションに関連付けられるクライアントアプリケーションを実行することにより前記ホストコンピュータにより受信されるべき前記ユーザデータを提供するように構成される、通信システム。
【０２０９】
実施形態58：ホストコンピュータ、基地局及びユーザ機器（ＵＥ）を含む通信システムにおいて実装される方法であって、前記ホストコンピュータにおいて、前記基地局から、前記基地局が前記ＵＥから受信した送信信号に由来するユーザデータを受信すること、を含み、前記ＵＥは、グループＡの実施形態のいずれかのステップ群のいずれかを実行する、方法。
【０２１０】
実施形態59：前述した実施形態の方法であって、前記基地局において、前記ＵＥから前記ユーザデータを受信すること、をさらに含む、方法。
【０２１１】
実施形態60：前述した２つの実施形態の方法であって、前記基地局において、受信した前記ユーザデータの前記ホストコンピュータへの送信を開始すること、をさらに含む、方法。
【０２１２】
以下の略語のうちの少なくともいくつかが本開示において使用されているかもしれない。略語の間で不整合がある場合には、上でそれがどのように使用されているかが優先されるべきである。以下で複数回挙示されている場合、最初に挙示されたものが後から挙示されたどれよりも優先されるべきである。
・２Ｇ              第二世代
・３Ｇ              第三世代
・３ＧＰＰ          第三世代パートナーシッププロジェクト
・４Ｇ              第四世代
・５Ｇ              第五世代
・ＡＣ              交流電流
・ＡＣＫ            確認応答
・ＡＰ              アクセスポイント
・ＡＳＩＣ          特定用途向け集積回路
・ＡＴＭ            非同期転送モード
・ＢＳ              基地局
・ＢＳＣ            基地局コントローラ
・ＢＴＳ            基地送受信局
・ＣＢＧ            符号ブロックグループ
・ＣＣＥ            制御チャネルエレメント
・ＣＤ              コンパクトディスク
・ＣＤＭＡ          符号分割多重アクセス
・ＣＯＴＳ          コマーシャル・オフ・ザ・シェルフ
・ＣＰＥ            顧客構内機器
・ＣＰＵ            中央処理ユニット
・ＣＳＩ            チャネル状態情報
・Ｄ２Ｄ            デバイスツーデバイス
・ＤＡＳ            分散アンテナシステム
・ＤＣ              直流電流
・ＤＣＩ            ダウンリンク制御情報
・ＤＩＭＭ          デュアル・インライン・メモリ・モジュール
・ＤＳＰ            デジタル信号プロセッサ
・ＤＶＤ            デジタルビデオディスク
・Ｅ−ＳＭＬＣ      進化型サービング・モバイル・ロケーション・センタ
・ＥＥＰＲＯＭ      電気的消去・プログラム可能ＲＯＭ
・ｅＭＴＣ          拡張マシンタイプ通信
・ｅＮＢ            進化型ノードＢ
・ＥＰＲＯＭ        消去・プログラム可能ＲＯＭ
・ＦＰＧＡ          フィールドプログラマブルゲートアレイ
・ＧＨｚ            ギガヘルツ
・ｇＮＢ            ＮＲにおける基地局
・ＧＰＳ            全地球測位システム
・ＧＳＭ            グローバル・システム・フォー・モバイル・コミュニケーションズ
・ＨＡＲＱ          ハイブリッド自動再送要求
・ＨＤＤＳ          ホログラフィック・デジタル・データ・ストレージ
・ＨＤ−ＤＶＤ      高密度デジタル多用途ディスク
・Ｉ／Ｏ            入力／出力
・ＩｏＴ            モノのインターネット
・ＩＰ              インターネットプロトコル
・ＬＡＮ            ローカルエリアネットワーク
・ＬＥＥ            ラップトップ組込み機器
・ＬＭＥ            ラップトップ搭載型機器
・ＬＴＥ            ロング・ターム・エボリューション
・Ｍ２Ｍ            マシンツーマシン
・ＭＡＮＯ          マネジメント及びオーケストレーション
・ＭＣＥ            マルチセル／マルチキャスト協調エンティティ
・ＭＤＴ            ドライブテスト最小化
・ＭＩＭＯ          複数入力複数出力
・ＭＭＥ            モビリティ管理エンティティ
・ＭＳＣ            モバイルスイッチングセンタ
・ＭＳＲ            マルチ標準無線
・ＭＴＣ            マシンタイプ通信
・ＮＢ−ＩｏＴ      狭帯域ＩｏＴ
・ＮＦＶ            ネットワーク機能仮想化
・ＮＩＣ            ネットワークインタフェースコントローラ
・ＮＲ              新無線
・Ｏ＆Ｍ            オペレーション及びメンテナンス
・ＯＣＣ            直交カバー符号
・ＯＦＤＭ          直交周波数分割多重
・ＯＳＳ            オペレーション・サポート・システム
・ＯＴＴ            オーバー・ザ・トップ
・ＰＤＡ            パーソナル・デジタル・アシスタント
・ＰＤＣＣＨ        物理ダウンリンク制御チャネル
・ＰＤＳＣＨ        物理ダウンリンク共有チャネル
・ＰＲＢ            物理リソースブロック
・ＰＲＯＭ          プログラム可能ＲＯＭ
・ＰＳＴＮ          公衆交換電話網
・ＰＵＣＣＨ        物理アップリンク制御チャネル
・ＰＵＳＣＨ        物理アップリンク共有チャネル
・ＲＡＩＤ          独立ディスクの冗長アレイ
・ＲＡＭ            ランダムアクセスメモリ
・ＲＡＮ            無線アクセスネットワーク
・ＲＡＴ            無線アクセス技術
・ＲＦ              無線周波数
・ＲＭＳＩ          残余システム情報
・ＲＮＣ            無線ネットワークコントローラ
・ＲＮＴＩ          無線ネットワーク一時識別子
・ＲＯＭ            読み取り専用メモリ
・ＲＲＣ            無線リソース制御
・ＲＲＨ            リモート無線ヘッド
・ＲＲＵ            リモート無線ユニット
・ＲＵＩＭ          取外し可能ユーザアイデンティティ
・ＳＤＲＡＭ        シンクロナスダイナミックＲＡＭ
・ＳＩＭ            加入者アイデンティティモジュール
・ＳＯＣ            システムオンチップ
・ＳＯＮ            自己最適化ネットワーク
・ＳＯＮＥＴ        同期的光ネットワーキング
・ＳＲ              スケジューリング要求
・ＴＣＰ            伝送制御プロトコル
・ＵＣＩ            アップリンク制御情報
・ＵＥ              ユーザ機器
・ＵＭＴＳ          ユニバーサル・モバイル・テレコミュニケーション・システム
・ＵＳＢ            ユニバーサル・シリアル・バス
・Ｖ２Ｉ            車両対インフラストラクチャ
・Ｖ２Ｖ            車両対車両
・Ｖ２Ｘ            車両対エブリシング
・ＶＭＭ            仮想マシンモニタ
・ＶＮＥ            仮想ネットワークエレメント
・ＶＮＦ            仮想ネットワーク機能
・ＶｏＩＰ          ボイス・オーバー・インターネットプロトコル
・ＷＡＮ            ワイドエリアネットワーク
・ＷＣＤＭＡ        広帯域符号分割多元接続
・ＷＤ              ワイヤレスデバイス
・ＷｉＭａｘ        ワールドワイド・インターオペラビリティ・フォー・マイクロフェーブ・アクセス
・ＷＬＡＮ          ワイヤレスローカルエリアネットワーク
【０２１３】
当業者は、本開示の実施形態に対する改善及び修正を認識するであろう。全てのそうした改善及び修正は、ここで開示した概念のスコープの範囲内であるものと考えられる。
【図１】
0006701445.tif 000004
【図２】
0006701445.tif 000005
【図３】
0006701445.tif 000006
【図４】
0006701445.tif 000007
【図５】
0006701445.tif 000008
【図６】
0006701445.tif 000009
【図７】
0006701445.tif 000010
【図８】
0006701445.tif 000011
【図９】
0006701445.tif 000012
【図１０】
0006701445.tif 000013
【図１１】
0006701445.tif 000014
【図１２】
0006701445.tif 000015
【図１３】
0006701445.tif 000016
【図１４】
0006701445.tif 000017